(57)【要約】【課題】過去の表示モードでの表示に類似した表示を容易に実現可能にする技術を提供する。【解決手段】本発明の表示制御装置は、所定の画像処理で使用される処理パラメータを設定する第１設定手段と、前記第１設定手段で設定された前記処理パラメータを用いて、入力画像データに前記所定の画像処理を施すことにより、処理画像データを生成する処理手段と、画像を表示部に表示する表示モードを設定する第２設定手段と、前記第２設定手段で設定された表示モードで、前記処理画像データに基づく画像を前記表示部に表示するための表示制御を行う制御手段と、前記第１設定手段で設定された処理パラメータと、前記第２設定手段で設定された表示モードとに関する情報を記憶部に記録する記録手段と、を有する。【選択図】図２
2018005069.tif 000002
【特許請求の範囲】
【請求項１】
所定の画像処理で使用される処理パラメータを設定する第１設定手段と、
前記第１設定手段で設定された前記処理パラメータを用いて、入力画像データに前記所定の画像処理を施すことにより、処理画像データを生成する処理手段と、
画像を表示部に表示する表示モードを設定する第２設定手段と、
前記第２設定手段で設定された表示モードで、前記処理画像データに基づく画像を前記表示部に表示するための表示制御を行う制御手段と、
前記第１設定手段で設定された処理パラメータと、前記第２設定手段で設定された表示モードとに関する情報を記憶部に記録する記録手段と、
を有することを特徴とする表示制御装置。
【請求項２】
前記第２設定手段によって２つ以上の表示モードが設定された場合に、
前記第１設定手段は、前記２つ以上の表示モードにそれぞれ対応する２つ以上の処理パラメータを個別に設定し、
前記情報は、前記２つ以上の表示モードと前記２つ以上の処理パラメータに関する
ことを特徴とする請求項１に記載の表示制御装置。
【請求項３】
前記第２設定手段で設定された表示モードが、一部の画像領域を設定された輝度で表示し、且つ、他の画像領域を基準の輝度で表示する表示モードである場合に、前記第１設定手段は、前記一部の画像領域について処理パラメータを設定する
ことを特徴とする請求項１または２に記載の表示制御装置。
【請求項４】
前記一部の画像領域として複数の画像領域が使用された場合に、前記第１設定手段は、前記複数の画像領域にそれぞれ対応する複数の処理パラメータを個別に設定する
ことを特徴とする請求項３に記載の表示制御装置。
【請求項５】
前記情報は、前記入力画像データの色空間と、前記表示部の表示性能との少なくとも一方にさらに関する
ことを特徴とする請求項１〜４のいずれか１項に記載の表示制御装置。
【請求項６】
前記表示部の前記表示性能に関する性能情報が予め記録された性能記憶部、をさらに有する
ことを特徴とする請求項５に記載の表示制御装置。
【請求項７】
前記第２設定手段で設定された表示モードは、
前記入力画像データの輝度レンジを圧縮した輝度レンジで画像を表示する表示モード、
前記入力画像データの輝度レンジの一部に対応する画像領域を、設定された輝度レンジで表示し、且つ、前記入力画像データの前記輝度レンジの前記一部に対応しない画像領域で所定の表示を行う表示モード、
一部の画像領域を設定された輝度で表示し、且つ、他の画像領域を基準の輝度で表示する表示モード、
発光部と、前記発光部からの光を透過することで画像を表示する表示パネルとを有する前記表示部の前記発光部の発光輝度を設定された発光輝度に制御して画像を表示する表示モード、
設定された階調特性で画像を表示する表示モード、または、
画面の複数の領域にそれぞれ対応する複数の発光部と、前記複数の発光部からの光を透過することで画像を表示する表示パネルとを有する前記表示部の各発光部の発光輝度を個別に制御して画像を表示する表示モード
である
ことを特徴とする請求項１〜６のいずれか１項に記載の表示制御装置。
【請求項８】
前記情報は、前記第２設定手段で設定された表示モードにおいて使用される表示パラメータにさらに関する
ことを特徴とする請求項１〜７のいずれか１項に記載の表示制御装置。
【請求項９】
前記第２設定手段で設定された表示モードにおいて使用される前記表示パラメータを設定する第３設定手段、をさらに有する
ことを特徴とする請求項８に記載の表示制御装置。
【請求項１０】
前記入力画像データの輝度レンジを圧縮した輝度レンジで画像を表示する表示モードで使用される表示パラメータは、圧縮された後の前記輝度レンジを示すパラメータを含み、
前記入力画像データの輝度レンジの一部に対応する画像領域を、設定された輝度レンジで表示し、且つ、前記入力画像データの前記輝度レンジの前記一部に対応しない画像領域で所定の表示を行う表示モードで使用される表示パラメータは、前記入力画像データの前記輝度レンジの前記一部を示すパラメータと、前記設定された輝度レンジを示すパラメータとを含み、
一部の画像領域を設定された輝度で表示し、且つ、他の画像領域を基準の輝度で表示する表示モードで使用される表示パラメータは、前記一部の画像領域を示すパラメータと、前記設定された輝度を示すパラメータとを含み、
発光部と、前記発光部からの光を透過することで画像を表示する表示パネルとを有する前記表示部の前記発光部の発光輝度を設定された発光輝度に制御して画像を表示する表示モードで使用される表示パラメータは、前記設定された発光輝度を示すパラメータを含み、
設定された階調特性で画像を表示する表示モードで使用される表示パラメータは、前記設定された階調特性を示すパラメータを含み、
画面の複数の領域にそれぞれ対応する複数の発光部と、前記複数の発光部からの光を透過することで画像を表示する表示パネルとを有する前記表示部の各発光部の発光輝度を個別に制御して画像を表示する表示モードで使用される表示パラメータは、前記各発光部の発光輝度の個別制御の方法を示すパラメータを含む
ことを特徴とする請求項８または９に記載の表示制御装置。
【請求項１１】
前記記録手段は、前記第２設定手段で設定された表示モードの変化に応じて前記情報を前記記憶部に記録する
ことを特徴とする請求項１〜１０のいずれか１項に記載の表示制御装置。
【請求項１２】
前記入力画像データは動画像データであり、
前記表示制御装置は、前記表示部で表示されたフレームを静止画像データとして生成する生成手段、をさらに有し、
前記記録手段は、前記静止画像データと前記情報とを互いに関連付けて前記記憶部に記録する
ことを特徴とする請求項１〜１０のいずれか１項に記載の表示制御装置。
【請求項１３】
画像を表示部に表示する表示モードを設定する設定手段と、
前記設定手段で設定された表示モードで、動画像データに基づく動画を前記表示部に表示するための表示制御を行う制御手段と、
前記表示部で表示されたフレームを静止画像データとして生成する生成手段と、
前記設定手段で設定された表示モードに関する情報と、前記静止画像データとを互いに関連付けて記憶部に記録する記録手段と、
を有することを特徴とする表示制御装置。
【請求項１４】
請求項１〜１３のいずれか１項に記載の表示制御装置とは異なる表示制御装置であって、
請求項１〜１３のいずれか１項に記載の前記表示制御装置により記録された、表示モードに関する情報を取得する取得手段と、
入力画像データに基づく画像を表示部に表示するための表示制御を、前記情報に基づいて行う制御手段と、
を有することを特徴とする表示制御装置。
【請求項１５】
前記情報に複数の表示モードが関連していた場合において、前記表示制御は、前記情報に関連した１つ以上の表示方法にそれぞれ対応する１つ以上の画像を前記表示部に表示するための表示制御である
ことを特徴とする請求項１４に記載の表示制御装置。
【請求項１６】
前記情報に関連した表示モードが、一部の画像領域を設定された輝度で表示し、且つ、他の画像領域を基準の輝度で表示する表示モードであり、且つ、前記一部の画像領域として複数の画像領域が使用されていた場合において、前記表示制御は、前記一部の画像領域として使用されていた１つ以上の画像領域を前記設定された輝度で表示するための表示制御である
ことを特徴とする請求項１４または１５に記載の表示制御装置。
【請求項１７】
前記表示制御は、前記情報に関連した表示モードでの表示において注目された画像領域が、他の画像領域から区別されるように前記画像を前記表示部に表示するための表示制御である
ことを特徴とする請求項１４〜１６のいずれか１項に記載の表示制御装置。
【請求項１８】
前記情報をユーザに通知する通知手段、をさらに有する
ことを特徴とする請求項１４〜１７のいずれか１項に記載の表示制御装置。
【請求項１９】
所定の画像処理で使用される処理パラメータを設定する第１設定ステップと、
前記第１設定ステップで設定された前記処理パラメータを用いて、入力画像データに前記所定の画像処理を施すことにより、処理画像データを生成する処理ステップと、
画像を表示部に表示する表示モードを設定する第２設定ステップと、
前記第２設定ステップで設定された表示モードで、前記処理画像データに基づく画像を前記表示部に表示するための表示制御を行う制御ステップと、
前記第１設定ステップで設定された処理パラメータと、前記第２設定ステップで設定された表示モードとに関する情報を記憶部に記録する記録ステップと、
を有することを特徴とする表示制御方法。
【請求項２０】
画像を表示部に表示する表示モードを設定する設定ステップと、
前記設定ステップで設定された表示モードで、動画像データに基づく動画を前記表示部に表示するための表示制御を行う制御ステップと、
前記表示部で表示されたフレームを静止画像データとして生成する生成ステップと、
前記設定ステップで設定された表示モードに関する情報と、前記静止画像データとを互いに関連付けて記憶部に記録する記録ステップと、
を有することを特徴とする表示制御方法。
【請求項２１】
請求項１９または２０に記載の表示制御方法とは異なる表示制御方法であって、
請求項１９または２０に記載の前記表示制御方法により記録された、表示モードに関す
る情報を取得する取得ステップと、
入力画像データに基づく画像を表示部に表示するための表示制御を、前記情報に基づいて行う制御ステップと、
を有することを特徴とする表示制御方法。
【請求項２２】
請求項１９〜２１のいずれか１項に記載の表示制御方法の各ステップをコンピュータに実行させるためのプログラム。
【発明の詳細な説明】
【技術分野】
【０００１】
本発明は、表示制御装置に関する。
【背景技術】
【０００２】
表示装置に関する技術の進歩により、輝度レンジ（輝度のダイナミックレンジ）が広い画像、臨場感の高い画像、等を表示可能な表示装置の普及が見込まれている。例えば、バックライトユニットの発光輝度（発光量）の向上、ローカルディミングに関する技術の進歩、等により、輝度レンジが広い画像、臨場感の高い画像、等を表示可能な液晶表示装置の普及が見込まれている。ローカルディミングでは、例えば、画像の暗部でのＢＬ輝度（バックライトユニットの発光輝度）が、画像の明部でのＢＬ輝度よりも低い輝度となるように、ＢＬ輝度が部分的に変更される。輝度レンジが広い画像は「ＨＤＲ（Ｈｉｇｈ  Ｄｙｎａｍｉｃ  Ｒａｎｇｅ）画像」などと呼ばれる。
【０００３】
デジタルシネマなどの画像コンテンツを制作するワークフロー（画像制作ワークフロー）は、一般的に、撮影工程と編集工程を含む。撮影工程は、デジタル画像データである撮影画像データ（被写体の画像を表す画像データ）を撮影によって得る工程である。撮影工程は、撮影現場で行われる。編集工程は、撮影工程の後工程であり、撮影工程で得られた撮影画像データを編集する工程である。編集工程は、「ポストプロダクション」などと呼ばれる。編集工程では、例えば、画像の見た目を所望の見た目に補正するためのカラーグレーディングが行われる。編集工程は、編集現場で行われる。編集現場は一般的に撮影現場とは異なる。例えば、編集現場は、編集スタジオである。
【０００４】
編集工程では、一般的に、制作者（プロデューサ）、カラリスト、等の多数の人による協働作業が行われる。しかし、撮影工程の撮影監督が編集工程に参加できるとは限らない。そのため、近年では、撮影工程において、大まかなカラーグレーディング（仮カラーグレーディング；オンセットグレーディング）が行われ、編集工程において、見た目の微調整のためのカラーグレーディング（本カラーグレーディング）が行われることが多い。撮影工程で仮カラーグレーディングが行われることにより、最終的な画像の印象を撮影工程で大まかに把握することができ、編集工程での本カラーグレーディングの負荷を減らすことができる。
【０００５】
また近年、撮影工程でＨＤＲ画像データ（ＨＤＲ画像を表す画像データ）を得ることが多い。ＨＤＲ画像データを得る撮影工程では、仮カラーグレーディングで使用された処理パラメータが記録される。例えば、処理パラメータとして、ＡＳＣ  ＣＤＬ（Ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）で定義された種類のパラメータが記録される。それにより、本カラーグレーディングの作業者に、仮カラーグレーディングで使用された処理パラメータを通知することができる。その結果、本カラーグレーディングの作業効率を向上することができる。パラメータの記録に関する従来技術は、例えば、特許文献１〜３に開示されている。
【０００６】
特許文献１に開示の技術では、撮影画像データを外部へ出力する際に適用されるパラメータと、撮影後の処理で使用されるパラメータとが記録され、それら２つの一方が選択して使用される。特許文献２に開示の技術では、画像データと処理パラメータが互いに関連付けられて記録される。そして、特許文献３に開示の技術では、ＨＤＲ画像データ、ＨＤＲ画像データによって表された輝度に関する輝度特性情報、及び、ＨＤＲ画像データをＳＤＲ（Ｓｔａｎｄａｒｄ  Ｄｙｎａｍｉｃ  Ｒａｎｇｅ）画像データへ変換するための定
義情報が記録される。ＳＤＲ画像データは、ＨＤＲ画像の輝度レンジよりも狭い一般的な輝度レンジを有するＳＤＲ画像を表す画像データである。
【先行技術文献】
【特許文献】
【０００７】
【特許文献１】特開２００９−２１８２７号公報
【特許文献２】特開２０１４−１０７８３７号公報
【特許文献３】特開２０１５−５８７８号公報
【発明の概要】
【発明が解決しようとする課題】
【０００８】
撮影工程でＨＤＲ画像データを得る場合には、表示装置として、ＨＤＲ画像を表示可能な表示装置（ＨＤＲ表示装置）を使用することが望ましい。しかしながら、撮影工程では、電源の制約、携行品の制約、等により、ＨＤＲ表示装置が使用できなかったり、ＨＤＲ表示装置でＨＤＲ画像が表示できなかったりする。例えば、撮影工程では、ＳＤＲ画像を表示でき且つＨＤＲ画像を表示できない表示装置（ＳＤＲ表示装置）が使用されたり、輝度レンジがＨＤＲ画像の輝度レンジから狭められた画像（ＳＤＲ画像）が表示されたりする。一方、編集工程では、ＨＤＲ表示装置を用いてＨＤＲ画像が表示される。
【０００９】
図２１は、ＨＤＲ画像の輝度レンジと、ＳＤＲ画像の輝度レンジとの一例を示す。ＳＤＲ画像は、例えば、ＩＴＵ  Ｒｅｃ．７０９、ＤＣＩ−Ｐ３、等の規格で定められた輝度レンジを有する。ＨＤＲ画像は、例えば、４０万：１〜１００万：１の輝度コントラスト比（輝度のコントラスト比）に対応する輝度レンジを有する。
【００１０】
撮影工程（仮カラーグレーディング）では、例えば、以下の表示モード１〜４のいずれかでＨＤＲ画像に対応するＳＤＲ画像が表示される。
【００１１】
（表示モード１）
表示モード１は、入力画像データの輝度レンジを圧縮した輝度レンジで画像を表示する表示モードである。図２２は、圧縮前の輝度レンジと圧縮後の輝度レンジの対応関係の一例を示す。図２２の例では、０〜１０００ｃｄ／ｍ２の輝度レンジから０〜５００ｃｄ／ｍ２の輝度レンジへ、輝度レンジが圧縮されている。また、図２２の例では、圧縮前の輝度の変化に対して、圧縮後の輝度が線形に変化する。
【００１２】
（表示モード２）
表示モード２は、入力画像データの輝度レンジの一部に対応する画像領域を、設定された輝度レンジで表示し、且つ、入力画像データの輝度レンジの一部に対応しない画像領域で所定の表示を行う表示モードである。図２３は、表示モード２における変換前の輝度レンジと、表示モード２における変換後の輝度レンジの対応関係の一例を示す。図２３の例では、０〜２００ｃｄ／ｍ２の輝度レンジが０〜５００ｃｄ／ｍ２の輝度レンジへ変換され、２００〜１０００ｃｄ／ｍ２の輝度が５００ｃｄ／ｍ２へ変換されている。また、図２３の例では、変換前の０〜２００ｃｄ／ｍ２の輝度レンジにおいて、変換前の輝度の変化に対して、変換後の輝度が線形に変化する。
【００１３】
（表示モード３）
表示モード３は、一部の画像領域を設定された輝度で表示し、且つ、他の画像領域を基準の輝度で表示する表示モードである。具体的には、表示モード３では、ＨＤＲ画像の一部の画像領域において基準輝度よりも高い輝度での表示が行われ、ＨＤＲ画像の他の画像領域において基準輝度での表示が行われる。上記一部の画像領域のサイズ、上記一部の画像領域の輝度、等は、電源の制約に基づいて決定される。
【００１４】
（表示モード４）
表示モード４は、バックライトユニットの発光輝度を設定された発光輝度に制御して画像を表示する表示モードである。具体的には、表示モード４では、ユーザによって指定された発光輝度へ、バックライトユニットの発光輝度が制御される。そして、バックライトユニットの発光輝度に基づいて、ＨＤＲ画像データが補正される。
【００１５】
表示された画像の輝度は、上記表示モードに依存する。そのため、過去の表示モードと異なる表示モードで表示が行われた場合には、過去に使用された処理パラメータと同じ処理パラメータが使用されたとしても、過去の表示モードでの表示に類似した表示（過去の表示モードと同じ表示）が実現されるとは限らない。例えば、本カラーグレーディングにおいて、仮カラーグレーディングの処理パラメータと同じ処理パラメータが使用されにも拘らず、表示された画像の輝度が仮カラーグレーディングでの輝度からずれることがある。そして、特許文献１〜３に記載の技術で記録されるパラメータ、情報、等を用いたとしても、表示モードの違い等に起因した輝度のずれを容易に低減することはできない。そのため、特許文献１〜３に記載の技術を用いたとしても、過去の表示モードでの表示に類似した表示を容易に実現することはできない。
【００１６】
また、上記課題は、画像の確認方法に依らず生じる。例えば、動画像データに基づく動画像の確認中に、動画像データの１フレームが静止画像データとして記録されることがある。そして、記録された静止画像データに基づく静止画像が確認されることがある。このような場合においも上記課題は生じる。具体的には、表示された静止画像の輝度が、表示された動画像（静止画像に対応するフレーム）の輝度からずれることがある。
【００１７】
本発明は、過去の表示モードでの表示に類似した表示を容易に実現可能にする技術を提供することを目的とする。
【課題を解決するための手段】
【００１８】
本発明の第１の態様は、
所定の画像処理で使用される処理パラメータを設定する第１設定手段と、
前記第１設定手段で設定された前記処理パラメータを用いて、入力画像データに前記所定の画像処理を施すことにより、処理画像データを生成する処理手段と、
画像を表示部に表示する表示モードを設定する第２設定手段と、
前記第２設定手段で設定された表示モードで、前記処理画像データに基づく画像を前記表示部に表示するための表示制御を行う制御手段と、
前記第１設定手段で設定された処理パラメータと、前記第２設定手段で設定された表示モードとに関する情報を記憶部に記録する記録手段と、
を有することを特徴とする表示制御装置である。
【００１９】
本発明の第２の態様は、
画像を表示部に表示する表示モードを設定する設定手段と、
前記設定手段で設定された表示モードで、動画像データに基づく動画を前記表示部に表示するための表示制御を行う制御手段と、
前記表示部で表示されたフレームを静止画像データとして生成する生成手段と、
前記設定手段で設定された表示モードに関する情報と、前記静止画像データとを互いに関連付けて記憶部に記録する記録手段と、
を有することを特徴とする表示制御装置である。
【００２０】
本発明の第３の態様は、
上述した表示制御装置とは異なる表示制御装置であって、
上述した表示制御装置により記録された、表示モードに関する情報を取得する取得手段と、
入力画像データに基づく画像を表示部に表示するための表示制御を、前記情報に基づいて行う制御手段と、
を有することを特徴とする表示制御装置である。
【００２１】
本発明の第４の態様は、
所定の画像処理で使用される処理パラメータを設定する第１設定ステップと、
前記第１設定ステップで設定された前記処理パラメータを用いて、入力画像データに前記所定の画像処理を施すことにより、処理画像データを生成する処理ステップと、
画像を表示部に表示する表示モードを設定する第２設定ステップと、
前記第２設定ステップで設定された表示モードで、前記処理画像データに基づく画像を前記表示部に表示するための表示制御を行う制御ステップと、
前記第１設定ステップで設定された処理パラメータと、前記第２設定ステップで設定された表示モードとに関する情報を記憶部に記録する記録ステップと、
を有することを特徴とする表示制御方法である。
【００２２】
本発明の第５の態様は、
画像を表示部に表示する表示モードを設定する設定ステップと、
前記設定ステップで設定された表示モードで、動画像データに基づく動画を前記表示部に表示するための表示制御を行う制御ステップと、
前記表示部で表示されたフレームを静止画像データとして生成する生成ステップと、
前記設定ステップで設定された表示モードに関する情報と、前記静止画像データとを互いに関連付けて記憶部に記録する記録ステップと、
を有することを特徴とする表示制御方法である。
【００２３】
本発明の第６の態様は、
上述した表示制御方法とは異なる表示制御方法であって、
上述した表示制御方法により記録された、表示モードに関する情報を取得する取得ステップと、
入力画像データに基づく画像を表示部に表示するための表示制御を、前記情報に基づいて行う制御ステップと、
を有することを特徴とする表示制御方法である。
【００２４】
本発明の第７の態様は、上述した表示制御方法の各ステップをコンピュータに実行させるためのプログラムである。
【発明の効果】
【００２５】
本発明によれば、過去の表示モードでの表示に類似した表示が容易に実現可能となる。
【図面の簡単な説明】
【００２６】
【図１】実施例１に係る画像処理システムの構成例を示す図
【図２】実施例１に係るオンセットディスプレイ装置の構成例を示す図
【図３】実施例１に係る表示モードの一例を示す図
【図４】実施例１に係るオンセットディスプレイ装置の処理フローの一例を示す図
【図５】実施例１に係る表示情報の一例を示す図
【図６】実施例１に係る編集ディスプレイ装置の構成例を示す図
【図７】実施例１に係る編集ディスプレイ装置の処理フローの一例を示す図
【図８】実施例２に係る編集ディスプレイ装置の構成例を示す図
【図９】実施例３に係るブースト表示の一例を示す図
【図１０】実施例３に係るオンセットディスプレイ装置の構成例を示す図
【図１１】実施例３に係るオンセットディスプレイ装置の処理フローの一例を示す図
【図１２】実施例３に係る表示情報の一例を示す図
【図１３】実施例３に係る編集ディスプレイ装置の構成例を示す図
【図１４】実施例３に係る編集ディスプレイ装置の処理フローの一例を示す図
【図１５】実施例４に係る表示装置の構成例を示す図
【図１６】実施例５に係る表示装置の構成例を示す図
【図１７】実施例５に係る実輝度と表示レンジの輝度との一例を示す図
【図１８】実施例５に係る実輝度と表示レンジの輝度との一例を示す図
【図１９】実施例５に係るガンマカーブと表示レンジと分岐点の一例を示す図
【図２０】実施例６に係る表示装置の構成例を示す図
【図２１】輝度レンジの一例を示す図
【図２２】輝度レンジの圧縮の一例を示す図
【図２３】輝度レンジの変換の一例を示す図
【発明を実施するための形態】
【００２７】
以下、本発明の実施例１〜６について説明する。なお、以下の実施例１〜６はあくまで一例であり、本発明の要旨の範囲内で実施例１〜６の構成を適宜変形したり変更したりすることにより得られる構成も、本発明に含まれる。実施例１〜６の構成を適宜組み合わせて得られる構成も、本発明に含まれる。
【００２８】
＜実施例１＞
本発明の実施例１について説明する。図１は、本実施例に係る画像処理システムの構成例を示す。色管理などの規格は特に限定されないが、図１の画像処理システムでは、映画芸術科学アカデミー（ＡＭＰＡＳ）によって提案されたＡＣＥＳ（Ａｃａｄｅｍｙ  Ｃｏｌｏｒ  Ｅｎｃｏｄｅ  Ｓｐｅｃｉｆｉｃａｔｉｏｎ）規格が用いられている。図１の画像処理システムは、撮影システムと編集システムを有する。
【００２９】
撮影システムは、撮影のためのシステムであり、例えば撮影現場で使用される。撮影システムは、撮影装置（デジタルカメラ）とオンセットディスプレイ装置（第１の表示装置）１０１を有する。編集システムは画像データの編集のためのシステムであり、例えば編集現場で使用される。編集システムは、変換器と、編集ディスプレイ装置（第２の表示装置）１０２を有する。
【００３０】
図１の画像処理システムを用いた作業の一例を説明する。まず、撮影現場において、オンセットディスプレイ装置１０１を用いて、撮影画像データの仮カラーグレーディングが行われる。撮影画像データは、撮影装置を用いた撮影によって生成された画像データであり、被写体の画像を表す画像データである。仮カラーグレーディングは、大まかなカラーグレーディングであり、「オンセットグレーディング」などと呼ばれることもある。カラーグレーディングは、画像の見た目を所望の見た目に補正するための作業である。仮カラーグレーディングにおいて、オンセットディスプレイ装置１０１は、設定された表示モードで画像（撮影画像データに基づく画像）を表示する。その後、編集現場において、編集ディスプレイ装置１０２を用いて、撮影画像データの本カラーグレーディングが行われる。本カラーグレーディングは、仮カラーグレーディングに比べ詳細なカラーグレーディングであり、例えば見た目の微調整のためのカラーグレーディングである。
【００３１】
図１の画像処理システムの各装置について、大まかに説明する。撮影装置は、撮影によって撮影画像データを生成する。撮影画像データの輝度レンジ（輝度のダイナミックレンジ）は特に限定されないが、本実施例では、撮影画像データとして、輝度レンジが広い画像データ（ＨＤＲ（Ｈｉｇｈ  Ｄｙｎａｍｉｃ  Ｒａｎｇｅ）画像データ）が生成される
。ＨＤＲ画像データは、例えば、４０万：１〜１００万：１の輝度コントラスト比（輝度のコントラスト比）に対応する輝度レンジを有する。また、撮影画像データのデータフォーマットは特に限定されない。本実施例では、撮影画像データとして、ＲＡＷフォーマットを有する画像データ（ＲＡＷ画像データ）、ＡＣＥＳＰｒｏｘｙフォーマットを有する画像データ（ＡＣＥＳＰｒｏｘｙ画像データ）、等が生成される。ＡＣＥＳＰｒｏｘｙフォーマットは、ＡＣＥＳ（Ａｃａｄｅｍｙ  Ｃｏｌｏｒ  Ｅｎｃｏｄｉｎｇ  Ｓｙｓｔｅｍ）で定義されたデータフォーマット（伝送フォーマット）である。ＡＣＥＳＰｒｏｘｙ画像データは、データ圧縮処理などをＲＡＷ画像データに施すことにより生成される。撮影装置は、撮影画像データを外部に出力することができる。本実施例では、撮影装置は、ＡＣＥＳＰｒｏｘｙ画像データをオンセットディスプレイ装置１０１へ出力し、ＲＡＷ画像データを記憶装置に記録する。
【００３２】
オンセットディスプレイ装置１０１が表示可能な輝度のレンジ（表示輝度レンジ）は特に限定されない。本実施例では、オンセットディスプレイ装置１０１の表示輝度（画面の輝度；表示された輝度）の上限が４００ｃｄ／ｍ２（＝４００ｎｉｔ）であるとする。オンセットディスプレイ装置１０１は、撮影装置から出力されたＡＣＥＳＰｒｏｘｙ画像データに第１の画像処理（所定の画像処理）を施し、第１の画像処理が施された後の画像データに基づいて、画像を表示する。第１の画像処理は、ＲＲＴ（Ｒｅｆｅｒｅｎｃｅ  Ｒｅｎｄｅｒｉｎｇ  Ｔｒａｎｓｆｏｒｍ）、ＯＤＴ（Ｏｕｔｐｕｔ  Ｄｅｖｉｃｅ  Ｔｒａｎｓｆｏｒｍ）、等を含む。ＲＲＴとＯＤＴは、ＡＣＥＳで定義された処理である。
【００３３】
ＲＲＴは、ＡＣＥＳ空間を可視化するための処理である。ＡＣＥＳ空間は、ＡＭＰＡＳ（Ａｃａｄｅｍｙ  ｏｆ  Ｍｏｔｉｏｎ  Ｐｉｃｔｕｒｅ  Ａｒｔｓ  ａｎｄ  Ｓｃｉｅｎｃｅｓ）が提唱するカラーマネジメント規格で定義された色空間であり、入出力デバイスに共通の色空間（リニア空間）である。ＲＲＴは、「ＡＣＥＳ画像データを或る理想化された表示デバイスに適合したＯＣＥＳ（Ｏｕｔｐｕｔ  Ｃｏｌｏｒ  Ｅｎｃｏｄｉｎｇ
Ｓｐｅｃｉｆｉｃａｔｉｏｎ）画像データに変換する基準レンダリング変換処理」とも言える。具体的には、ＲＲＴは、「ＡＣＥＳ画像データを基準のフィルム調の見た目を表現するＯＣＥＳ画像データに変換する処理」とも言える。ＲＲＴには、例えば、ルックアップテーブル（ＬＵＴ）を用いた階調変換処理、ＬＵＴを用いた色補正処理、等が含まれる。ＬＵＴとしては、１次元ルックアップテーブル、３次元ルックアップテーブル、等が使用される。ＡＣＥＳ画像データは、ＡＣＥＳ空間の画像データであり、例えばＡＣＥＳＰｒｏｘｙ画像データである。
【００３４】
ＯＤＴは、ＲＲＴによって得られたＯＣＥＳ画像データを出力デバイスに応じて変換する出力デバイス変換処理である。ＯＤＴは、「ＯＣＥＳ画像データを、出力デバイス特有の色空間の画像データに変換する処理」とも言える。ＯＤＴには、例えば、１次元ルックアップテーブルを用いた階調変換処理、１次元ルックアップテーブルを用いた色補正処理、等が含まれる。
【００３５】
オンセットディスプレイ装置１０１では、ＲＲＴとＯＤＴにより、ＡＣＥＳＰｒｏｘｙデータが、オンセットディスプレイ装置１０１特有の色空間の画像データに変換される。
【００３６】
変換器は、記憶装置に記録されたＲＡＷ画像データを、所定のデータフォーマットを有する画像データに変換し、変換後の画像データを編集ディスプレイ装置１０２へ出力する。
【００３７】
編集ディスプレイ装置１０２の表示輝度レンジは特に限定されないが、本実施例では、編集ディスプレイ装置１０２の表示輝度の上限が１００００ｃｄ／ｍ２であるとする。編集ディスプレイ装置１０２は、変換器から出力された画像データに第２の画像処理（所定
の画像処理）を施し、第２の画像処理が施された後の画像データに基づいて、画像を表示する。第２の画像処理は、ＩＤＴ（Ｉｎｐｕｔ  Ｄｅｖｉｃｅ  Ｔｒａｎｓｆｏｒｍ）、ＲＲＴ、ＯＤＴ、等を含む。ＩＤＴは、ＡＣＥＳで定義された処理であり、撮影装置特有の色空間の画像データをＡＣＥＳデータに変換する処理である。
【００３８】
編集ディスプレイ装置１０２では、ＩＤＴ、ＲＲＴ、及び、ＯＤＴにより、変換器から出力された画像データが、編集ディスプレイ装置１０２特有の色空間の画像データに変換される。なお、編集ディスプレイ装置１０２では、ＯＤＴの代わりに、ＳＭＰＴＥ  ＳＴ−２０８４に従った階調特性（人の視覚特性に基づく階調特性）に合うように画像データの階調特性を変換する変換処理が行われてもよい。ＯＤＴに加えて変換処理が行われてもよい。階調特性は、階調値と輝度の対応関係を示す特性である。
【００３９】
本実施例では、オンセットディスプレイ装置１０１は、仮カラーグレーディング（仮カラーグレーディングのための画像処理）で使用された処理パラメータを、ＵＳＢメモリ（記憶部）に記録することができる。そして、編集ディスプレイ装置１０２は、仮カラーグレーディングで使用された処理パラメータをＵＳＢメモリから読み出し、読み出した処理パラメータを本カラーグレーディング（本カラーグレーディングのための画像処理）で使用することができる。また、オンセットディスプレイ装置１０１は、オンセットディスプレイ装置１０１に対して設定された表示モードを示す表示情報を、ＵＳＢメモリに記録することができる。そして、編集ディスプレイ装置１０２は、表示情報をＵＳＢメモリから読み出し、読み出した表示情報によって示された表示モードで画像を表示することができる。それにより、編集ディスプレイ装置１０２は、仮カラーグレーディングにおけるオンセットディスプレイ装置１０１の表示モードでの表示に類似した表示を、容易に実現することができる。例えば、編集ディスプレイ装置１０２は、仮カラーグレーディングにおけるオンセットディスプレイ装置１０１の表示を、容易に再現することができる。
【００４０】
なお、処理パラメータ、表示情報、等をオンセットディスプレイ装置１０１から編集ディスプレイ装置１０２へ通知する方法は、特に限定されない。例えば、ＵＳＢメモリとは異なる可搬メディアを介してオンセットディスプレイ装置１０１から編集ディスプレイ装置１０２へ情報が通知されてもよい。情報を記憶可能な他の装置を介してオンセットディスプレイ装置１０１から編集ディスプレイ装置１０２へ情報が通知されてもよい。他の装置は、オンセットディスプレイ装置１０１と編集ディスプレイ装置１０２とに直接接続されてよいし、そうでなくてもよい。他の装置は、インターネットなどを介してオンセットディスプレイ装置１０１と編集ディスプレイ装置１０２とに接続されてもよい。
【００４１】
また、処理パラメータは特に限定されない。例えば、処理パラメータは、カラーグレーディングのための画像処理とは異なる画像処理で使用されるパラメータであってもよい。処理パラメータを用いた画像処理は、輝度調整処理、色調整処理、ぼかし処理、エッジ強調処理、トーンカーブ調整、マトリクス変換、等である。処理パラメータとして、ＡＳＣ
ＣＤＬ（Ｔｈｅ  Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）で定義された種類のパラメータを使用することができる。ＡＳＣ  ＣＤＬでは、パラメータの種類として、ＳＬＯＰＥ、ＯＦＦＳＥＴ、ＰＯＷＥＲ、及び、ＳＡＴＵＲＡＴＩＯＮが定義されている。ＳＬＯＰＥのパラメータは、画像データの各階調値に乗算するゲイン値である。ＯＦＦＳＥＴのパラメータは、画像データの各階調値に加減算するオフセット値である。ＰＯＷＥＲのパラメータは、画像データに施すガンマ変換のガンマ値である。そして、ＳＡＴＵＲＡＴＩＯＮのパラメータは、画像データの各クロマ値に乗算するクロマゲイン値である。
【００４２】
図２は、オンセットディスプレイ装置１０１の構成例を示すブロック図である。オンセットディスプレイ装置１０１の表示性能と、編集ディスプレイ装置１０２の表示性能とは
特に限定されないが、本実施例では、オンセットディスプレイ装置１０１の表示性能が、編集ディスプレイ装置１０２の表示性能よりも劣るものとする。例えば、オンセットディスプレイ装置１０１は、表示輝度レンジがＨＤＲ画像データの輝度レンジよりも狭い表示装置であり、編集ディスプレイ装置１０２は、表示輝度レンジがＨＤＲ画像データの輝度レンジ以上の表示装置である。具体的には、オンセットディスプレイ装置１０１は、ＳＤＲ（Ｓｔａｎｄａｒｄ  Ｄｙｎａｍｉｃ  Ｒａｎｇｅ）表示装置、表示輝度レンジが制限されたＨＤＲ表示装置、等である。編集ディスプレイ装置１０２は、表示輝度レンジが制限されていないＨＤＲ表示装置などである。ＳＤＲ表示装置は、ＨＤＲ画像データには対応しておらず、且つ、ＳＤＲ画像データ（ＨＤＲ画像の輝度レンジよりも狭い一般的な輝度レンジを有するＳＤＲ画像を表す画像データ）に対応した表示装置である。ＨＤＲ表示装置は、ＨＤＲ画像データに対応した表示装置である。ＳＤＲ画像データは、例えば、ＩＴＵ  Ｒｅｃ．７０９、ＤＣＩ−Ｐ３、等の規格で定められた輝度レンジを有する。
【００４３】
撮影装置から出力されたＡＣＥＳＰｒｏｘｙ画像データ（オンセットディスプレイ装置１０１の入力画像データ；オンセットディスプレイ装置１０１に入力された画像データ）は、ＲＧＢ生成部２０１に入力される。ＲＧＢ生成部２０１は、ＡＣＥＳＰｒｏｘｙ画像データを、ＲＧＢ画像データであるＡＣＥＳ＿ＲＧＢ画像データと、その他の付加情報とに分離する。ここで、ＡＣＥＳ＿ＲＧＢ画像データは、被写体輝度の変化に対して階調値（Ｒ値、Ｇ値、及び、Ｂ値）が線形に変化する階調特性（リニア特性）を有しており、被写体の色を忠実に表す色再現性を有する。ＡＣＥＳＰｒｏｘｙ画像データからＡＣＥＳ＿ＲＧＢ画像データを得る処理（ＡＣＥＳＰｒｏｘｙ画像データをＡＣＥＳ＿ＲＧＢ画像データへ変換する処理）は、例えば、デガンマ処理、色再現性の補正処理、色空間の変換処理、等を含む。
【００４４】
ＡＣＥＳ＿ＲＧＢ画像データは、画像処理部２０２に入力される。画像処理部２０２は、ＡＣＥＳ＿ＲＧＢ画像データに所定の画像処理を施し、所定の画像処理が施された後の画像データなどを出力する。画像処理部２０２は、画像調整部２０３、ＲＲＴ処理部２０５、及び、ＯＤＴ処理部２０６を有する。
【００４５】
ＡＣＥＳ＿ＲＧＢ画像データは、画像調整部２０３に入力される。画像調整部２０３は、ユーザからの指示（オンセットディスプレイ装置１０１に対するユーザ操作）に従った仮カラーグレーディング処理を、ＡＣＥＳ＿ＲＧＢ画像データに施す。それにより、処理画像データが生成される。仮カラーグレーディング処理は、仮カラーグレーディングのための画像処理である。そして、画像調整部２０３は、処理画像データをＲＲＴ処理部２０５へ出力する。
【００４６】
具体的には、処理パラメータ設定部２０４が、ユーザからの指示に応じて処理パラメータを決定し、決定した処理パラメータを画像処理部２０２（画像調整部２０３）に対して設定する。そして、画像調整部２０３は、設定された処理パラメータを用いた仮カラーグレーディング処理を、ＡＣＥＳ＿ＲＧＢ画像データに施す。
【００４７】
ＲＲＴ処理部２０５は、画像調整部２０３から出力された処理画像データに、ＲＲＴを施し、ＲＲＴが施された後の画像データを、ＯＤＴ処理部２０６へ出力する。
【００４８】
ＯＤＴ処理部２０６は、ＲＲＴ処理部２０５から出力された画像データに、ＯＤＴ処理を施す。それにより、ＬＣＤモジュール２０７特有の色空間の画像データが生成される。また、ＯＤＴ処理部２０６は、入力画像データ（具体的には処理画像データ）に基づく画像が好適に表示されるように、ＢＬ調整値を生成する。ＬＣＤモジュール２０７は、表示パネルである液晶パネルと、発光部であるバックライトユニットとを有する。ＢＬ調整値は、バックライトユニットの発光輝度（発光量）に関する値である。ＯＤＴ処理部２０６
は、ＯＤＴ処理が施された後の画像データをＬＣＤモジュール２０７へ出力し、ＢＬ調整値をＢＬ調整部２０８へ出力する。
【００４９】
具体的には、表示モード設定部２１０が、ユーザからの指示に応じて複数の表示モードのいずれかを選択し、選択した表示モードに関するモード情報を画像処理部２０２（ＯＤＴ処理部２０６）に対して設定する。モード情報は、表示モードの情報、当該表示モードで使用される表示パラメータ、等を含む。そして、ＯＤＴ処理部２０６は、ＲＲＴ処理部２０５からの画像データと、表示モード設定部２１０からのモード情報とに基づいて、ＯＤＴ処理後の画像データと、ＢＬ調整値とを生成する。本実施例では、設定された表示モードで入力画像データ（処理画像データ）に基づく画像が表示されるように、ＯＤＴ処理後の画像データと、ＢＬ調整値とが生成される。また、表示モード設定部２１０は、現在設定されているモード情報を、表示情報の一部として、所定のタイミングで情報記憶部２１１に記録する。
【００５０】
なお、情報記憶部２１１は、オンセットディスプレイ装置１０１に内蔵された記憶部であってもよいし、オンセットディスプレイ装置１０１に対して着脱可能な記憶部であってもよい。本実施例では、情報記憶部２１１として、上述したＵＳＢメモリが使用される。また、表示モードを選択してモード情報を設定する処理は、オンセットディスプレイ装置１０１の入力画像データの種類、オンセットディスプレイ装置１０１の使用環境、等に応じて自動で行われてもよい。また、モード情報を考慮した処理は、仮カラーグレーディング処理、ＲＲＴ、等に含まれてもよい。仮カラーグレーディング処理、ＲＲＴ、ＯＤＴ、等から独立した処理として、モード情報を考慮した処理が行われてもよい。
【００５１】
ＢＬ調整部２０８は、ＯＤＴ処理部２０６から出力されたＢＬ調整値に応じて、ＢＬ制御信号を生成する。そして、ＢＬ調整部２０８は、生成したＢＬ制御信号を、ＢＬ駆動部２０９へ出力する。ＢＬ制御信号は、バックライトユニットの発光輝度に関する信号である。
【００５２】
バックライトユニットから発せられた光は、液晶パネルの背面に照射される。バックライトユニットからの光が液晶パネルを透過することにより、画面に画像が表示される。ＯＤＴ処理後の画像データがＬＣＤモジュール２０７へ入力されると、液晶パネルの透過率（バックライトユニットからの光が液晶パネルを透過する透過率）が、ＯＤＴ処理後の画像データに応じて制御される。そして、ＢＬ制御信号がＢＬ駆動部２０９へ入力されると、ＢＬ駆動部２０９は、ＢＬ制御信号に応じて、バックライトモジュールの発光輝度を制御する。それにより、設定された表示モードで入力画像データ（処理画像データ）に基づく画像が表示される。「ＯＤＴ処理後の画像データをＬＣＤモジュール２０７へ出力する処理」は、「ＬＣＤモジュール２０７の透過率を制御する処理」とも言える。
【００５３】
このように、本実施例では、画像処理部２０２（ＯＤＴ処理部２０６）が液晶パネルの透過率を制御し、ＢＬ駆動部２０９がバックライトユニットの発光輝度を制御する。それにより、設定された表示モードで入力画像データ（処理画像データ）に基づく画像がＬＣＤモジュール２０７に表示される。そのため、本実施例では、画像処理部２０２（ＯＤＴ処理部２０６）とＢＬ駆動部２０９により、設定された表示モードで入力画像データ（処理画像データ）に基づく画像をＬＣＤモジュール２０７に表示する表示制御が行われる。
【００５４】
処理パラメータ記録部２１２は、現在設定されている処理パラメータを画像処理部２０２（画像調整部２０３）から取得する。そして、処理パラメータ記録部２１２は、取得した処理パラメータ（現在設定されている処理パラメータ）を、表示情報の一部として、所定のタイミングで情報記憶部２１１に記録する。なお、現在設定されている処理パラメータは、処理パラメータ設定部２０４から取得されてもよい。
【００５５】
性能記憶部２１３には、オンセットディスプレイ装置１０１の表示性能（表示輝度レンジ、表示輝度の上限、設定可能な表示モード、設定可能なパラメータ、等）を示す性能情報が予め記録されている。性能記憶部２１３は、性能情報を、表示情報の一部として、所定のタイミングで情報記憶部２１１に記録する。性能情報は外部から取得されてもよい。
【００５６】
ＲＧＢ生成部２０１によって得られた付加情報は、タイムコード抽出部２１４に入力される。タイムコード抽出部２１４は、付加情報から、現在の処理対象である画像データ（フレーム）のタイムコードを抽出する。そして、タイムコード抽出部２１４は、抽出したタイムコード（現在の処理対象である画像データ（フレーム）のタイムコード）を、表示情報の一部として、所定のタイミングで情報記憶部２１１に記録する。
【００５７】
図３（Ａ），３（Ｂ）は、本実施例に係る表示モードの一例を示す。具体的には、図３（Ａ）は、圧縮モードを示し、図３（Ｂ）は、クリップモードを示す。
【００５８】
圧縮モードは、単純圧縮表示を行う表示モードである。単純圧縮表示では、入力画像データの輝度レンジを圧縮した輝度レンジで画像が表示される。オンセットディスプレイ装置１０１の単純圧縮表示では、例えば、圧縮後の輝度レンジとして、オンセットディスプレイ装置１０１の表示輝度レンジの全体または一部が使用される。図３（Ａ）の例では、入力画像データの輝度レンジ（０．００１〜１００００ｃｄ／ｍ２）が、オンセットディスプレイ装置１０１の表示輝度レンジ（０．０１〜４００ｃｄ／ｍ２）へ圧縮されている。
【００５９】
クリップモードは、クリップ表示を行う表示モードである。クリップ表示では、入力画像データの輝度レンジの一部（クリップレンジ）に対応する画像領域が、設定された輝度レンジで表示され、且つ、入力画像データの輝度レンジの一部に対応しない画像領域で所定の表示が行われる。オンセットディスプレイ装置１０１のクリップ表示では、例えば、上記設定された輝度レンジとして、オンセットディスプレイ装置１０１の表示輝度レンジの全体または一部が使用される。図３（Ｂ）の例では、入力画像データの輝度レンジ（０．００１〜１００００ｃｄ／ｍ２）の一部（１０００〜１００００ｃｄ／ｍ２）が、オンセットディスプレイ装置１０１の表示輝度レンジ（０．０１〜４００ｃｄ／ｍ２）へ変換されている。この場合には、１０００ｃｄ／ｍ２よりも低い輝度の画像領域において所定の表示が行われる。例えば、１０００ｃｄ／ｍ２よりも低い輝度は、０ｃｄ／ｍ２で表示される。
【００６０】
なお、クリップレンジ（入力画像データの輝度レンジの一部）の最大輝度が、入力画像データの輝度レンジの最大輝度よりも低い場合には、クリップレンジの最大輝度よりもより高い輝度の画像領域において所定の画像表示が行われる。例えば、クリップレンジの最大輝度よりも高い輝度は、オンセットディスプレイ装置１０１の表示輝度の上限と同じ輝度で表示される。
【００６１】
図４は、オンセットディスプレイ装置１０１の処理フローの一例を示すフローチャートである。図４の処理フローは、例えば、オンセットディスプレイ装置１０１に対する仮カラーグレーディング開始操作に応じて開始される。仮カラーグレーディング開始操作は、仮カラーグレーディングの開始を指示するユーザ操作である。
【００６２】
まず、Ｓ４０１にて、表示モード設定部２１０が、ユーザからの指示に応じて複数の表示モードのいずれかを選択し、選択した表示モードに関するモード情報を画像処理部２０２（ＯＤＴ処理部２０６）に対して設定する。
【００６３】
次に、Ｓ４０２にて、処理パラメータ設定部２０４が、ユーザからの指示に応じて処理パラメータを決定し、決定した処理パラメータを画像処理部２０２（画像調整部２０３）に対して設定する。これにより、設定された処理パラメータを用いて処理画像データが生成され、設定された表示モードで処理画像データに基づく画像が表示される。
【００６４】
そして、Ｓ４０３にて、ユーザが、オンセットディスプレイ装置１０１に対して表示モード変更操作（表示モードの変更を指示するユーザ操作）を行う。例えば、ユーザは、入力画像データの輝度レンジ全体が使用される圧縮モードで仮カラーグレーディングを行うことで、処理パラメータを大まかに決定する。その後、ユーザは、入力画像データの輝度レンジの一部が抽出されて使用されるクリップモードへ表示モードが変更されるように、表示モード変更操作を行う。そして、ユーザは、クリップモードで仮カラーグレーディングを行うことで、処理パラメータを詳細に決定する。なお、「表示パラメータが互いに異なる複数の表示モード」は、「互いに異なる複数の表示モード」とも言える。そのため、表示モードの変更（表示モードの変更）が表示パラメータの変更の場合もある。表示モード変更操作が行われた場合には、Ｓ４０４〜Ｓ４０８の処理が行われ、表示モード変更操作が行われなかった場合には、Ｓ４０９へ処理が進められる。
【００６５】
Ｓ４０４にて、タイムコード抽出部２１４が、表示モード変更操作時の処理対象である画像データ（フレーム）のタイムコードを、付加情報から抽出する。
【００６６】
Ｓ４０５にて、処理パラメータ記録部２１２が、表示モード変更操作時に設定されていた処理パラメータを、画像処理部２０２から取得する。
【００６７】
Ｓ４０６にて、変更前の表示モードに対応する表示情報が、情報記憶部２１１に記録される。具体的には、表示モード設定部２１０が、表示モード変更操作時に設定されていたモード情報を、変更前の表示モードに対応する表示情報の一部として、情報記憶部２１１に記録する。処理パラメータ記録部２１２が、Ｓ４０５で取得した処理パラメータを、変更前の表示モードに対応する表示情報の一部として、情報記憶部２１１に記録する。性能記憶部２１３が、性能情報を、変更前の表示モードに対応する表示情報の一部として、情報記憶部２１１に記録する。そして、タイムコード抽出部２１４が、Ｓ４０４で抽出したタイムコードを、変更前の表示モードに対応する表示情報の一部として、情報記憶部２１１に記録する。
【００６８】
Ｓ４０７にて、表示モード設定部２１０が、Ｓ４０４の表示モード変更操作に応じて変更後の表示モードを選択し、選択した表示モードに関するモード情報を画像処理部２０２（ＯＤＴ処理部２０６）に対して設定する。これにより、設定されているモード情報が更新され、表示が更新される。
【００６９】
Ｓ４０８にて、処理パラメータ設定部２０４が、ユーザからの指示に応じて処理パラメータを決定（変更）し、決定した処理パラメータを画像処理部２０２（画像調整部２０３）に対して設定する。これにより、設定されている処理パラメータが更新され、表示が更新される。その後、Ｓ４０９へ処理が進められる。
【００７０】
Ｓ４０９にて、オンセットディスプレイ装置１０１（例えば、オンセットディスプレイ装置１０１が有する不図示の制御部）が、オンセットディスプレイ装置１０１に対する仮カラーグレーディング終了操作が行われたか否かを判断する。仮カラーグレーディング終了操作は、仮カラーグレーディングの終了を指示するユーザ操作である。仮カラーグレーディング終了操作が行われなかった場合には、Ｓ４０３へ処理が戻され、仮カラーグレーディング終了操作が行われた場合には、本処理フローが終了される。
【００７１】
図４の処理フローによれば、設定されたモード情報の変化に応じて、表示情報が情報記憶部２１１に記録される。なお、表示情報の記録のタイミングは特に限定されない。例えば、オンセットディスプレイ装置１０１の表示輝度の変化に応じて、表示情報の記録が行われてもよい。オンセットディスプレイ装置１０１に対する記録操作に応じて、表示情報の記録が行われてもよい。記録操作は、表示情報の記録を指示するユーザ操作である。表示情報の記録が、所定の時間間隔で定期的に行われてもよい。表示情報のデータフォーマットは特に限定されない。例えば、処理パラメータのデータファイルに他の情報を追記することで、表示情報のデータファイルが生成されてもよい。処理パラメータのデータファイルに関連付けられた他のデータファイルが、処理パラメータとは異なる情報のデータファイルとして生成され、処理パラメータと他のデータファイルとの組み合わせが、表示情報のデータファイルとして生成されてもよい。
【００７２】
図５は、表示情報の一例を示す。図５は、ＡＳＣ  ＣＤＬで定義された種類のパラメータが処理パラメータとして使用された場合の例である。図５は、処理パラメータのデータファイルに他の情報を追記することで、表示情報のデータファイルが生成された場合の例でもある。
【００７３】
図５の例では、表示情報は、タイムコード、処理パラメータ、色空間情報、表示モードの情報、表示パラメータ、及び、性能情報を含む。色空間情報は、オンセットディスプレイ装置１０１の入力画像データの色空間を示す情報である。具体的には、色空間情報は、仮カラーグレーディング処理で使用された画像データの色空間を示す情報である。図５の表示情報は、或る期間の表示情報である。図５の例では、対応する期間の始点のタイムコードと、対応する期間の終点のタイムコードとが、表示情報に含まれている。また、動画データの一部のシーンを除いたり、動画データにシーンを追加したりすると、タイムコードは変化する。図５の例では、そのような編集の前のタイムコードと、編集の後のタイムコードとが表示情報に含まれている。図５の例では、輝度変換ＬＵＴ情報が表示情報にさらに含まれている。輝度変換ＬＵＴ情報は、オンセットディスプレイ装置１０１で使用されたＬＵＴ（輝度を変換するＬＵＴ）を示す情報である。図５の例では、単純圧縮表示で使用される表示パラメータとして、圧縮された後の輝度レンジを示すパラメータが記述されている。そして、図５の例では、クリップ表示で使用される表示パラメータとして、クリップレンジを示すパラメータと、設定された輝度レンジを示すパラメータとを含む。色空間情報と輝度変換ＬＵＴ情報は、例えば、処理パラメータ記録部２１２によって記録される。
【００７４】
なお、表示情報は図５の表示情報に限られない。例えば、表示モードの情報として、表示画像（画面に表示された画像）の画質を変更するための画質モードの設定値、表示画像の雰囲気を変更するためのピクチャモードの設定値、等が記述されてもよい。図５の例ではフレームに対応する表示情報が記述されているが、シーンに対応する表示情報が記述されてもよいし、入力画像データ全体に対応する表示情報が記述されてもよい。
【００７５】
本実施例では、１つのフレーム、１つのシーン、入力画像データ全体、等について複数の表示モード（表示パラメータ）を選択することができる。複数の表示モードが選択された場合には、複数の表示モードのそれぞれの情報が表示情報に記述される。そして、複数の表示モードが選択された場合には、複数の表示モードにそれぞれ対応する複数の処理パラメータを個別に設定することができる。複数の表示モードにそれぞれ対応する複数の処理パラメータが設定された場合には、複数の処理パラメータが表示情報に記述される。
【００７６】
図６は、編集ディスプレイ装置１０２の構成例を示すブロック図である。変換器から出力された画像データ（編集ディスプレイ装置１０２の入力画像データ；編集ディスプレイ装置１０２に入力された画像データ；編集画像データ）は、画像入力部６０１に入力され
る。画像入力部６０１は、編集画像データを、画像処理部６０２へ出力する。また、画像入力部６０１は、同期制御部６０３の間で同期情報の送受信を行う。
【００７７】
例えば、画像入力部６０１が或るフレームの編集画像データを出力する場合に、画像入力部６０１は、当該フレームの表示情報を情報記憶部６０４から読み出すための同期情報を、同期制御部６０３へ出力する。その場合には、同期制御部６０３は、画像入力部６０１からの同期情報に応じて、画像入力部６０１から出力されたフレーム（表示対象のフレーム）の表示情報を情報記憶部６０４から読み出すための指示（読み出し指示）を出力する。読み出し指示は、表示モード設定部６１３、性能情報抽出部６１４、及び、処理パラメータ抽出部６１５へ出力される。
【００７８】
なお、情報記憶部６０４から或るフレームの表示情報を読み出すためのユーザ操作（読み出し操作）が、編集ディスプレイ装置１０２に対して行われてもよい。その場合には、同期制御部６０３は、読み出し操作に対応する表示情報を読み出すための指示（読み出し指示）を出力する。また、同期制御部６０３は、読み出し操作に対応するフレームを表示するための同期情報を、画像入力部６０１へ出力する。そして、画像入力部６０１は、同期制御部６０３からの同期情報に応じて、上記ユーザ操作に応じたフレームの編集画像データを出力する。
【００７９】
情報記憶部６０４には、情報記憶部２１１に記録された情報と同じ情報が記録されている。情報記憶部６０４は、編集ディスプレイ装置１０２に内蔵された記憶部であってもよいし、編集ディスプレイ装置１０２に対して着脱可能な記憶部であってもよい。本実施例では、情報記憶部６０４は、情報記憶部２１１（ＵＳＢメモリ）である。
【００８０】
画像処理部６０２は、編集画像データに所定の画像処理を施し、所定の画像処理が施された後の画像データなどを出力する。画像処理部６０２は、ＩＤＴ処理部６０５、画像調整部６０６、ＲＲＴ処理部６０８、及び、ＯＤＴ処理部６０９を有する。
【００８１】
ＩＤＴ処理部６０５は、編集画像データにＩＤＴを施す。それにより、撮影装置特有の色空間の画像データである編集画像データが、ＡＣＥＳ空間の画像データであるＡＣＥＳ＿ＲＧＢ画像データに変換される。そして、ＩＤＴ処理部６０５は、ＡＣＥＳ＿ＲＧＢ画像データを画像調整部６０６へ出力する。
【００８２】
画像調整部６０６は、ユーザからの指示（編集ディスプレイ装置１０２に対するユーザ操作）に従った本カラーグレーディング処理を、ＩＤＴ処理部６０５から出力されたＡＣＥＳ＿ＲＧＢ画像データに施す。本カラーグレーディング処理は、本カラーグレーディングのための画像処理である。そして、画像調整部６０６は、本カラーグレーディング処理が施された後の画像データを、ＲＲＴ処理部６０８へ出力する。
【００８３】
具体的には、モニタ調整値変換部６０７が、ユーザからの指示に応じて処理パラメータを決定し、決定した処理パラメータを画像処理部６０２（画像調整部６０６）に対して設定する。そして、画像調整部６０６は、設定された処理パラメータを用いた本カラーグレーディング処理を、ＡＣＥＳ＿ＲＧＢ画像データに施す。
【００８４】
ＲＲＴ処理部６０８は、画像調整部６０６から出力された画像データに、ＲＲＴを施し、ＲＲＴが施された後の画像データを、ＯＤＴ処理部６０９へ出力する。
【００８５】
ＯＤＴ処理部６０９は、ＲＲＴ処理部６０８から出力された画像データに、ＯＤＴ処理と、ＳＭＰＴＥ  ＳＴ−２０８４に基づく変換処理とを施す。それにより、ＬＣＤモジュール６１１特有の色空間に対応し、且つ、ＳＭＰＴＥ  ＳＴ−２０８４に従った階調特性
（人の視覚特性に基づく階調特性）を有する画像データが生成される。また、ＯＤＴ処理部６０９は、編集画像データに基づく画像が好適に表示されるように、ＢＬ調整値を生成する。ＯＤＴ処理部６０９は、ＯＤＴ処理が施された後の画像データをＬＣＤモジュール６１１へ出力し、ＢＬ調整値をＢＬ調整部６１０へ出力する。ＯＤＴ処理後の画像データがＬＣＤモジュール６１１へ入力されると、ＬＣＤモジュール６１１が有する液晶パネルの透過率が、ＯＤＴ処理後の画像データに応じて制御される。
【００８６】
ＢＬ調整部６１０は、ＯＤＴ処理部６０９から出力されたＢＬ調整値に応じて、ＢＬ制御信号を生成する。そして、ＢＬ調整部６１０は、生成したＢＬ制御信号を、ＢＬ駆動部６１２へ出力する。ＢＬ駆動部６１２は、ＢＬ調整部６１０から出力されたＢＬ制御信号に応じて、ＬＣＤモジュール６１１が有するバックライトモジュールの発光輝度を制御する。
【００８７】
なお、画像処理部２０２と同様に、画像処理部６０２にモード情報が設定されてもよい。そして、画像処理部６０２おいて、モード情報を考慮した処理が行われてもよい。
【００８８】
本実施例では、編集ディスプレイ装置１０２は、オンセットディスプレイ装置１０１の表示を模した表示を行うことができる。以後、「オンセットディスプレイ装置１０１の表示を模した表示」を「エミュレート表示」と記載する。エミュレート表示は、仮カラーグレーディング処理時におけるオンセットディスプレイ装置１０１の表示モードでの表示に類似した表示である。以下に、エミュレート表示の実現方法を説明する。
【００８９】
読み出し指示が同期制御部６０３から出力されると、表示モード設定部６１３、性能情報抽出部６１４、及び、処理パラメータ抽出部６１５により、情報記憶部６０４から表示情報が取得される。取得された表示情報は、編集画像データ（具体的には、オンセットディスプレイ装置１０１の入力画像データ）に基づく画像の過去の表示モードを示す。具体的には、取得された表示情報は、仮カラーグレーディング処理時におけるオンセットディスプレイ装置１０１の表示モードを示す。
【００９０】
具体的には、表示モード設定部６１３は、読み出し指示に応じて、情報記憶部６０４からモード情報（表示モードの情報と表示パラメータ）を読み出す。そして、表示モード設定部６１３は、読み出したモード情報を、編集ディスプレイ装置１０２に対応したモード情報へ変換し、変換後のモード情報をモニタ調整値変換部６０７へ出力する。変換後のモード情報は、エミュレート表示を実現するために必要な情報の１つである。
【００９１】
ここで、１フレームに対応するモード情報として複数のモード情報（複数の表示モードの情報、複数の表示パラメータ、等）が存在する場合を考える。その場合には、表示モード設定部６１３は、編集ディスプレイ装置１０２に対するユーザ操作に応じて、複数のモード情報のいずれかを選択して用いる。選択されたモード情報を他のモード情報へ切り替えることにより、エミュレート表示で再現される表示モードや表示パラメータを切り替えることができる。また、表示モード設定部６１３は、２つ以上のモード情報を選択して使用することもできる。それにより、複数のモード情報に対応する複数のエミュレート表示を同時に実現することができる。
【００９２】
性能情報抽出部６１４は、読み出し指示に応じて、情報記憶部６０４から性能情報を読み出す。そして、性能情報抽出部６１４は、読み出した性能情報から、エミュレート表示を実現するために必要な情報の１つである性能調整値を生成し、生成した性能調整値をモニタ調整値変換部６０７へ出力する。性能調整値は、例えば、オンセットディスプレイ装置１０１と編集ディスプレイ装置１０２の間の性能差を埋めるＬＵＴである。
【００９３】
処理パラメータ抽出部６１５は、読み出し指示に応じて、情報記憶部６０４から処理パラメータを読み出す。そして、処理パラメータ抽出部６１５は、読み出した処理パラメータを調整し、調整後の処理パラメータをモニタ調整値変換部６０７へ出力する。調整後の処理パラメータは、エミュレート表示を実現するために必要な情報の１つである。処理パラメータ抽出部６１５では、例えば、編集ディスプレイ装置１０２に対応した処理パラメータへ、読み出した処理パラメータを変換する処理が、処理パラメータの調整として行われる。
【００９４】
モニタ調整値変換部６０７は、表示モード設定部６１３、性能情報抽出部６１４、及び、処理パラメータ抽出部６１５から出力された情報に基づいて、エミュレート表示を実現する処理パラメータを決定する。そして、モニタ調整値変換部６０７は、決定した処理パラメータを画像処理部６０２（画像調整部６０６）に対して設定する。その結果、エミュレート表示を実現する表示制御が行われる。換言すれば、過去の表示モードと同じ表示モードで編集画像データに基づく画像をＬＣＤモジュール６１１に表示するための表示制御が行われる。
【００９５】
このように、編集ディスプレイ装置１０２では、表示情報に基づいて、エミュレート表示を実現する表示制御が行われる。表示情報が使用されれば、エミュレート表示の実現方法は特に限定されない。
【００９６】
図７は、編集ディスプレイ装置１０２の処理フローの一例を示すフローチャートである。図７の処理フローは、例えば、編集ディスプレイ装置１０２に対するエミュレート表示開始操作に応じて開始される。エミュレート表示開始操作は、エミュレート表示の開始を指示するユーザ操作である。
【００９７】
まず、Ｓ７０１にて、表示モード設定部６１３が、オンセットディスプレイ装置１０１で選択可能な複数の表示モードのいずれかを、ユーザからの指示に応じて選択する。Ｓ７０１では、例えば、複数の表示モードのリストが表示され、リストで示された複数の表示モードのいずれかが選択される。なお、Ｓ７０１の処理は、Ｓ７０３の処理の後に行われてもよい。その場合には、得られた表示情報によって示されているモード情報に関連した表示モードのみが、表示モード設定部６１３が選択可能な表示モードとして使用されてもよい。
【００９８】
次に、Ｓ７０２にて、画像入力部６０１からの編集画像データの出力に同期して情報記憶部６０４から表示情報が読み出されるように、同期制御部６０３が同期処理を行う。具体的には、同期制御部６０３は、画像入力部６０１からの同期情報に応じて読み出し指示を出力する。
【００９９】
そして、Ｓ７０３にて、表示モード設定部６１３、性能情報抽出部６１４、及び、処理パラメータ抽出部６１５により、Ｓ７０１で選択された表示モードに対応する表示情報が、情報記憶部６０４から取得される。そして、表示モード設定部６１３、性能情報抽出部６１４、及び、処理パラメータ抽出部６１５によって、取得された表示情報を用いた処理が行われる。表示モード設定部６１３の処理、性能情報抽出部６１４の処理、及び、処理パラメータ抽出部６１５の処理は、上述したとおりである。
【０１００】
Ｓ７０１で選択された表示モードに対応する表示情報が存在しない場合には、所定の情報がユーザに通知される。そして、Ｓ７０１へ処理が戻される。例えば、編集ディスプレイ装置１０２の画面に、表示情報が存在しないことを示す画像（テキスト画像、アイコン、等）が表示される。所定の情報は音声で通知されてもよい。
【０１０１】
次に、Ｓ７０４にて、モニタ調整値変換部６０７が、Ｓ７０３の処理（表示情報を用いた処理）の結果に基づいて、エミュレート表示を実現する処理パラメータを決定する。
【０１０２】
そして、Ｓ７０５にて、モニタ調整値変換部６０７が、Ｓ７０４で決定した処理パラメータを画像処理部６０２（画像調整部６０６）に対して設定する。
【０１０３】
次に、Ｓ７０６にて、画像処理部６０２、ＢＬ調整部６１０、及び、ＢＬ駆動部６１２により、Ｓ７０５で決定された処理パラメータを用いた表示制御が行われる。その結果、Ｓ７０１で選択された表示モードに対応するエミュレート表示が実現される。
【０１０４】
そして、Ｓ７０７にて、編集ディスプレイ装置１０２（例えば、編集ディスプレイ装置１０２が有する不図示の制御部）が、編集ディスプレイ装置１０２に対する表示モード追加操作が行われたか否かを判断する。表示モード追加操作は、エミュレート表示を実現する表示モードを追加するためのユーザ操作である。表示モード追加操作が行われた場合には、Ｓ７０８へ処理が進められ、表示モード追加操作が行われなかった場合には、本処理フローが終了される。
【０１０５】
Ｓ７０８にて、表示モード設定部６１３が、表示モード追加操作に応じて、表示モードを追加で選択する。そして、Ｓ７０２へ処理が戻される。その結果、Ｓ７０８で選択された表示モードに対応する画像のエミュレート表示が追加で行われる。即ち、Ｓ７０１で選択された表示モードに対応する画像と、Ｓ７０８で選択された表示モードに対応する画像とを並べて表示するマルチ画面表示が行われる。
【０１０６】
なお、表示モード追加操作の代わりに、表示モード切替操作が行われてもよい。表示モード切替操作は、エミュレート表示を実現する表示モードを他の表示モードへ切り替えるためのユーザ操作である。表示モード切替操作が行われた場合には、Ｓ７０１で選択された表示モードに対応する画像のエミュレート表示から、表示モード切替操作に応じた切り替え後の表示モードに対応する画像のエミュレート表示へ、編集ディスプレイ装置１０２の表示が更新される。
【０１０７】
以上述べたように、本実施例によれば、使用された表示モードを示す表示情報を記憶部に記録し、記憶部から表示情報を読み出して使用する、という簡易な方法で、過去の表示モードでの表示に類似した表示を容易に実現することができる。
【０１０８】
＜実施例２＞
本発明の実施例２について説明する。本実施例では、画像処理システムの利便性をより向上する例を説明する。なお、以下では、実施例１と同様の点（構成と処理）についての説明は省略し、実施例１と異なる点について詳しく説明する。
【０１０９】
クリップ表示が行われた場合には、クリップレンジの外側の輝度は、所定の輝度に制限される。ユーザは、所定の輝度に制限された画像領域に注目して、当該画像領域に対する詳細な調整・確認のために、圧縮モードを使用する。また、ユーザは、クリップレンジに対応する画像領域に注目して、当該画像領域に対する詳細な調整・確認のために、クリップモードを使用する。このように、ユーザが注目する画像領域は、表示モードに依存する。
【０１１０】
本実施例では、編集ディスプレイ装置１０２の表示制御（エミュレート表示のための表示制御）により、過去の表示モードでの過去の表示において注目された画像領域が他の画像領域から区別されるように、編集画像データに基づく画像が表示される。具体的には、仮カラーグレーディングで注目された画像領域が、他の画像領域から区別される。それに
より、画像処理システムの利便性をより向上することができる。例えば、ユーザは、過去の表示で注目された画像領域を容易に把握することができる。換言すれば、注目された画像領域、作業の意図、等を、後工程のユーザに高精度に伝えることができる。その結果、後工程の作業効率を向上することができる。
【０１１１】
図８は、本実施例に係る編集ディスプレイ装置１０２の構成例を示すブロック図である。本実施例に係る編集ディスプレイ装置１０２は、閾値決定部８０１をさらに有する。図８において、実施例１（図６）と同じ機能部には、実施例１と同じ符号が付されている。
【０１１２】
閾値決定部８０１は、過去に注目された画像領域を判断するための閾値を決定する。そして、閾値決定部８０１は、決定した閾値を画像処理部６０２（画像調整部６０６）へ出力する。本実施例では、閾値決定部８０１は、変換後のモード情報を表示モード設定部６１３から取得し、性能調整値を表示モード設定部６１３から取得する。そして、閾値決定部８０１は、変換後のモード情報と、性能調整値とに基づいて、閾値を決定する。例えば、閾値として、クリップレンジにおける輝度の上限に対応する階調値、クリップレンジにおける輝度の下限に対応する階調値、等が決定される。
【０１１３】
本実施例において、画像調整部６０６は、実施例１と同様の処理を行う。但し、本実施例では、画像調整部６０６は、閾値決定部８０１からの閾値に基づいて、過去に注目された画像領域を判断する。そして、画像調整部６０６は、注目された画像領域が識別可能に表示されるように、本カラーグレーディング処理後の画像データを加工し出力する。ここで、クリップレンジにおける輝度の上限に対応する階調値が閾値として決定された場合を考える。この場合には、本カラーグレーディング処理が施された後の階調値が閾値よりも大きい画像範囲が検出され、検出された画像範囲が識別可能に表示されるように、本カラーグレーディング処理後の画像データが加工される。次に、クリップレンジにおける輝度の下限に対応する階調値が閾値として決定された場合を考える。この場合には、本カラーグレーディング処理が施された後の階調値が閾値よりも小さい画像範囲が検出され、検出された画像範囲が識別可能に表示されるように、本カラーグレーディング処理後の画像データが加工される。
【０１１４】
なお、過去に注目された画像領域を識別可能に表示する方法は、上記方法に限られない。過去に注目された画像領域が他の画像領域から区別されれば、どのような方法が使用されてもよい。例えば、注目された画像領域の表示を変更する方法として、注目された画像領域の輪郭を強調する方法、注目された画像領域を点滅させる方法、注目された画像領域の色を変更する方法、注目された画像領域の輝度を変更する方法、等がある。注目された画像領域以外の画像領域の表示が変更されてもよい。本カラーグレーディング処理によって階調値が変化した画像領域が検出され、当該画像領域が識別可能に表示されてもよい。
【０１１５】
以上述べたように、本実施例によれば、過去の表示モードでの過去の表示において注目された画像領域が他の画像領域から区別されるように画像を表示する表示制御が行われる。それにより、画像処理システムの利便性をより向上することができる。なお、過去の表示モードを示す表示情報をユーザに通知する通知処理が行われてもよい。そのような構成によっても、画像処理システムの利便性をより向上することができる。例えば、ユーザは、過去の表示モードを容易に把握することができる。表示情報を通知する処理として、例えば、表示情報を示すグラフィック画像の表示、表示情報を示す音声の出力、等が行われる。
【０１１６】
＜実施例３＞
本発明の実施例３について説明する。なお、以下では、実施例１と同様の点（構成と処理）についての説明は省略し、実施例１と異なる点について詳しく説明する。本実施例で
は、実施例１，２とは異なる表示モードが使用される例を説明する。具体的には、ブースト表示を行う表示モードが使用される例を説明する。なお、以下では、単純圧縮表示またはクリップ表示と、ブースト表示とが併用される例を説明するが、単純圧縮表示やクリップ表示は行われなくてもよい。
【０１１７】
ブースト表示では、一部の画像領域が設定された輝度で表示され、且つ、他の画像領域が基準の輝度で表示される。具体的には、ブースト表示では、一部の画像領域の表示輝度の上限値として、設定された輝度が使用され、他の画像領域の表示輝度の上限値として、基準の輝度が使用される。オンセットディスプレイ装置では、電源の制約により、画像全体を高輝度で表示することができないことがある。しかしながら、一部の画像領域に制限すれば、オンセットディスプレイ装置でも、高輝度な表示は可能である。
【０１１８】
図９は、ブースト表示の一例を示す。図９の例では、ブースト表示により、１行３列目の画像領域の輝度が高められている。
【０１１９】
図１０は、本実施例に係るオンセットディスプレイ装置１０１の構成例を示すブロック図である。本実施例に係るオンセットディスプレイ装置１０１は、輝度ブースト設定部１００１をさらに有する。図１０において、実施例１（図２）と同じ機能部には、実施例１と同じ符号が付されている。
【０１２０】
輝度ブースト設定部１００１は、ユーザからの指示（ブースト表示を行うか否かを指定する指示）に応じて、ブースト表示を行うか否かを判断する。ブースト表示を行う場合には、輝度ブースト設定部１００１は、ユーザからの指示（ブースト領域を指定する指示）に応じて、ブースト領域を決定する。ブースト領域は、設定された輝度で表示される画像領域である。また、輝度ブースト設定部１００１は、現在設定されているモード情報を、表示モード設定部２１０から取得する。そして、輝度ブースト設定部１００１は、決定したブースト領域と、取得したモード情報とに基づいて、ブースト領域の輝度を決定する。例えば、オンセットディスプレイ装置１０１の電源の状態が制約を満足するように、ブースト領域の輝度が決定される。輝度ブースト設定部１００１は、決定したブースト領域と、決定した輝度とを、ＢＬ調整部２０８に対して設定する。また、輝度ブースト設定部１００１は、ブースト表示の現在の状態に関する情報を、表示情報の一部として、所定のタイミングで情報記憶部２１１に記録する。例えば、ブースト表示の実行の有無、ブースト領域、ブースト領域の輝度、等を示す情報が、情報記憶部２１１に記録される。
【０１２１】
ブースト表示を行うか否かの判断方法、ブースト領域の決定方法、ブースト領域の輝度の決定方法、等は、特に限定されない。例えば、オンセットディスプレイ装置１０１では、常にブースト表示が行われるように表示制御が行われてもよい。画像の輝度分布、オンセットディスプレイ装置１０１の使用環境、等に基づいて、ブースト領域と、その輝度とが自動で決定されてもよい。ユーザからの指示のみに応じて、ブースト領域の輝度が決定されてもよい。
【０１２２】
本実施例において、ＢＬ調整部２０８は、実施例１と同様の処理を行う。但し、本実施例では、ブースト表示が行われる場合に、ＢＬ調整部２０８は、ＯＤＴ処理部２０６からのＢＬ調整値と、輝度ブースト設定部１００１によって設定されたブースト情報（ブースト領域と輝度）とに基づいて、ＢＬ制御信号を生成する。具体的には、ＢＬ調整部２０８は、設定された輝度に対応する輝度へ、設定されたブースト領域の表示輝度が制御されるように、ＢＬ制御信号を生成する。それにより、ブースト表示が実現される。
【０１２３】
なお、ブースト表示の実現方法は特に限定されない。例えば、設定されたブースト領域と、設定された輝度とに基づいて画像データを補正することにより、ブースト表示が実現
されてもよい。ＢＬ駆動部２０９が、設定されたブースト領域と、設定された輝度とに基づいてＢＬ制御信号を補正することにより、ブースト表示が実現されてもよい。
【０１２４】
図１１は、本実施例に係るオンセットディスプレイ装置１０１の処理フローの一例を示すフローチャートである。図１１の処理フローは、例えば、オンセットディスプレイ装置１０１に対する仮カラーグレーディング開始操作に応じて開始される。以下では、ブースト表示が行われる場合の処理フローを説明する。ブースト表示が行われない場合の処理フローは、実施例１（図４）と同じである。
【０１２５】
まず、Ｓ１１０１にて、表示モード設定部２１０が、ユーザからの指示に応じて複数の表示モードのいずれかを選択する。選択された表示モードに関するモード情報は、画像処理部２０２（ＯＤＴ処理部２０６）と輝度ブースト設定部１００１とに対して設定される。
【０１２６】
次に、Ｓ１１０２にて、輝度ブースト設定部１００１が、ユーザからの指示に応じて、ブースト領域を決定し、決定したブースト領域と、Ｓ１１０１において設定されたモード情報とに基づいて、ブースト領域の輝度を決定する。そして、輝度ブースト設定部１００１は、決定したブースト領域と、決定した輝度とを、ＢＬ調整部２０８に対して設定する。
【０１２７】
そして、Ｓ１１０３にて、処理パラメータ設定部２０４が、ユーザからの指示に応じて処理パラメータを決定し、決定した処理パラメータを画像処理部２０２（画像調整部２０３）に対して設定する。これにより、設定された処理パラメータを用いて処理画像データが生成され、設定された表示モードで処理画像データに基づく画像が表示される。画像全体に対応する処理パラメータが決定されてもよいが、本実施例では、Ｓ１１０２で決定されたブースト領域に対して処理パラメータが決定される。
【０１２８】
次に、Ｓ１１０４にて、タイムコード抽出部２１４が、現在の処理対象である画像データ（フレーム）のタイムコードを、付加情報から抽出する。
【０１２９】
そして、Ｓ１１０５にて、処理パラメータ記録部２１２が、現在設定されている処理パラメータを、画像処理部２０２から取得する。
【０１３０】
次に、Ｓ１１０６にて、現在の表示モードに対応する表示情報が、情報記憶部２１１に記録される。具体的には、表示モード設定部２１０が、現在設定されているモード情報を、現在の表示モードに対応する表示情報の一部として、情報記憶部２１１に記録する。処理パラメータ記録部２１２が、Ｓ１１０５で取得した処理パラメータを、現在の表示モードに対応する表示情報の一部として、情報記憶部２１１に記録する。性能記憶部２１３が、性能情報を、現在の表示モードに対応する表示情報の一部として、情報記憶部２１１に記録する。タイムコード抽出部２１４が、Ｓ１１０４で抽出したタイムコードを、現在の表示モードに対応する表示情報の一部として、情報記憶部２１１に記録する。そして、輝度ブースト設定部１００１が、ブースト表示の現在の状態に関する情報を、現在の表示モードに対応する表示情報の一部として、情報記憶部２１１に記録する。
【０１３１】
そして、Ｓ１１０７にて、オンセットディスプレイ装置１０１（例えば、オンセットディスプレイ装置１０１が有する不図示の制御部）が、処理対象のフレームに対するブースト表示を完了するか否かを判断する。例えば、ブースト表示の完了を指示するユーザ操作が行われた場合に、「処理対象のフレームに対するブースト表示を完了する」と判断される。ブースト領域の変更、ブースト領域の追加、等を指示するユーザ操作が行われ場合に、「処理対象のフレームに対するブースト表示を完了しない」と判断される。ブースト表
示を完了しない場合にはＳ１１０８へ処理が進められ、ブースト表示を完了する場合にはＳ１１０９へ処理が進められる。
【０１３２】
Ｓ１１０８にて、輝度ブースト設定部１００１が、ユーザからの指示に応じて、ブースト領域を再決定し、再決定したブースト領域と、現在設定されているモード情報とに基づいて、再決定したブースト領域の輝度を決定する。そして、輝度ブースト設定部１００１は、再決定した決定したブースト領域と、決定した輝度（再決定したブースト領域の輝度）とを、ＢＬ調整部２０８に対して設定する。それにより、ブースト表示が更新される。その後、Ｓ１１０３へ処理が戻される。そして、Ｓ１１０３〜Ｓ１１０７の処理が再度行われることにより、再決定されたブースト領域に対応する表示情報が、情報記憶部２１１に記録される。ここで、「再決定されたブースト領域」は、「変更後のブースト領域」、「追加されたブースト領域」、等を意味する。このように、本処理フローによれば、設定されたブースト領域の変化に応じて、表示情報が情報記憶部２１１に記録される。なお、実施例１で述べたように、表示情報の記録のタイミングは特に限定されない。
【０１３３】
Ｓ１１０９にて、表示モード設定部２１０が、表示モード変更操作に応じて変更後の表示モードを選択し、選択した表示モードに関するモード情報を画像処理部２０２（ＯＤＴ処理部２０６）に対して設定する。これにより、設定されているモード情報が更新され、表示が更新される。
【０１３４】
次に、Ｓ１１１０にて、オンセットディスプレイ装置１０１（例えば、オンセットディスプレイ装置１０１が有する不図示の制御部）が、変更後の表示モードに対応するブースト表示を行うか否かを判断する。例えば、ブースト表示の実行を指示するユーザ操作が行われた場合に、「変更後の表示モードに対応するブースト表示を行う」と判断される。ブースト表示の非実行を指示するユーザ操作が行われ場合に、「変更後の表示モードに対応するブースト表示を行わない」と判断される。ブースト表示を行う場合にはＳ１１０２へ処理が戻され、ブースト表示を行わない場合にはＳ１１１１へ処理が進められる。
【０１３５】
Ｓ１１１１にて、処理パラメータ設定部２０４が、ユーザからの指示に応じて処理パラメータを決定（変更）し、決定した処理パラメータを画像処理部２０２（画像調整部２０３）に対して設定する。これにより、設定されている処理パラメータが更新され、表示が更新される。その後、Ｓ１１１２へ処理が進められる。なお、Ｓ１１０９〜Ｓ１１１１の処理は、表示モード変更操作が行われた場合にのみ行われる。
【０１３６】
Ｓ１１１２にて、オンセットディスプレイ装置１０１（例えば、オンセットディスプレイ装置１０１が有する不図示の制御部）が、オンセットディスプレイ装置１０１に対する仮カラーグレーディング終了操作が行われたか否かを判断する。仮カラーグレーディング終了操作が行われなかった場合には、Ｓ１１０１へ処理が戻され、仮カラーグレーディング終了操作が行われた場合には、本処理フローが終了される。
【０１３７】
図１２は、本実施例に係る表示情報の一例を示す。図１２は、ＡＳＣ  ＣＤＬで定義された種類のパラメータが処理パラメータとして使用された場合の例である。図１２は、処理パラメータのデータファイルに他の情報を追記することで、表示情報のデータファイルが生成された場合の例でもある。なお、図１２の表示情報はあくまで一例であり、表示情報は図１２の情報に限られない。
【０１３８】
図１２の表示情報には、実施例１（図５）の情報の他に、ブースト表示の状態に関する情報がさらに含まれている。具体的には、図１２の表示情報には、ブースト表示が行われたか否かを示す情報が、表示モードの情報の一部として含まれている。そして、図１２の表示情報には、ブースト領域を示す情報と、ブースト領域の輝度を示す情報とが、ブース
表示の表示パラメータの一部として含まれている。さらに、図１２の表示情報には、ブースト領域のトーンマップ情報が、ブースト領域の表示パラメータの一部として含まれている。ブースト領域のトーンマップ情報は、ブースト領域の階調値の変換特性を示す情報である。
【０１３９】
本実施例では、ブースト領域として複数の画像領域を使用することができる。複数のブースト領域が使用された場合には、複数のブースト領域にそれぞれ対応する複数のブースト情報（ブースト領域と輝度の組み合わせ）が表示情報に記述される。そして、複数のブースト領域が使用された場合には、複数のブースト領域にそれぞれ対応する複数の処理パラメータを個別に設定することができる。複数のブースト領域にそれぞれ対応する複数の処理パラメータが設定された場合には、複数の処理パラメータが表示情報に記述される。
【０１４０】
図１３は、本実施例に係る編集ディスプレイ装置１０２の構成例を示すブロック図である。本実施例に係る編集ディスプレイ装置１０２は、輝度ブースト設定部１３０１をさらに有する。図１３において、実施例１（図６）と同じ機能部には、実施例１と同じ符号が付されている。編集ディスプレイ装置１０２では、エミュレート表示時に、以下の処理がさらに行われる。
【０１４１】
同期制御部６０３からの読み出し指示は、輝度ブースト設定部１３０１へも入力される。輝度ブースト設定部１３０１は、読み出し指示に応じて、ブースト表示の状態に関する情報を、情報記憶部６０４から読み出す。例えば、ブースト情報（ブースト領域、及び、ブースト領域の輝度）が読み出される。そして、輝度ブースト設定部１３０１は、読み出したブースト情報を、ＢＬ調整部６１０に対して設定する。その結果、ＢＬ調整部６１０において、ＯＤＴ処理部６０９からのＢＬ調整値と、輝度ブースト設定部１３０１によって設定されたブースト情報とに基づいて、ＢＬ制御信号が生成される。具体的には、ＢＬ調整部６１０により、設定された輝度に対応する輝度へ、設定されたブースト領域の表示輝度が制御されるように、ＢＬ制御信号が生成される。それにより、設定されたブースト領域においてエミュレート表示が実現される。
【０１４２】
ここで、１フレームに対応するブースト領域として複数のブースト領域が存在する場合を考える。即ち、１フレームに対応する過去の表示において、複数の画像領域がブースト領域として使用されていた場合を考える。その場合には、輝度ブースト設定部１３０１は、編集ディスプレイ装置１０２に対するユーザ操作に応じて、過去に使用された複数のブースト領域のいずれかを選択して用いる。選択されたブースト領域を他のブースト領域へ切り替えることにより、エミュレート表示が実現される画像領域（ブースト領域）を切り替えることができる。また、輝度ブースト設定部１３０１は、２つ以上のブースト領域を選択して使用することもできる。例えば、輝度ブースト設定部１３０１は、モード情報が互いに等しい２つ以上のブースト領域を選択して使用することもできる。それにより、複数のブースト領域のそれぞれにおいてエミュレート表示を同時に実現することができる。
【０１４３】
図１４は、本実施例に係る編集ディスプレイ装置１０２の処理フローの一例を示すフローチャートである。図１４の処理フローは、例えば、編集ディスプレイ装置１０２に対するエミュレート表示開始操作に応じて開始される。エミュレート表示開始操作は、エミュレート表示の開始を指示するユーザ操作である。
【０１４４】
まず、Ｓ１４０１にて、表示モード設定部６１３が、オンセットディスプレイ装置１０１で選択可能な複数の表示モードのいずれかを、ユーザからの指示に応じて選択する。
【０１４５】
次に、Ｓ１４０２にて、輝度ブースト設定部１３０１が、オンセットディスプレイ装置１０１で選択可能な複数のブースト領域のいずれかを、ユーザからの指示に応じて選択す
る。Ｓ１４０２では、例えば、複数のブースト領域のリストが表示され、リストで示された複数のブースト領域のいずれかが選択される。なお、Ｓ１４０２の処理は、Ｓ１４０４の処理の後に行われてもよい。その場合には、得られた表示情報によって示されているブースト領域のみが、輝度ブースト設定部１３０１が選択可能なブースト領域として使用されてもよい。
【０１４６】
そして、Ｓ１４０３にて、画像入力部６０１からの編集画像データの出力に同期して情報記憶部６０４から表示情報が読み出されるように、同期制御部６０３が同期処理を行う。具体的には、同期制御部６０３は、画像入力部６０１からの同期情報に応じて読み出し指示を出力する。
【０１４７】
次に、Ｓ１４０４にて、表示モード設定部６１３、性能情報抽出部６１４、処理パラメータ抽出部６１５、及び、輝度ブースト設定部１３０１により、情報記憶部６０４から表示情報が取得される。ここでは、Ｓ１４０１で選択された表示モードと、Ｓ１４０２で選択されたブースト領域とに対応する表示情報が、情報記憶部６０４から取得される。そして、実施例１と同様に、表示モード設定部６１３、性能情報抽出部６１４、及び、処理パラメータ抽出部６１５によって、取得された表示情報を用いた処理が行われる。
【０１４８】
Ｓ１４０１で選択された表示モードと、Ｓ１４０２で選択されたブースト領域とに対応する表示情報が存在しない場合には、所定の情報がユーザに通知される。そして、Ｓ１４０１へ処理が戻される。例えば、編集ディスプレイ装置１０２の画面に、表示情報が存在しないことを示す画像（テキスト画像、アイコン、等）が表示される。所定の情報は音声で通知されてもよい。
【０１４９】
次に、Ｓ１４０５にて、モニタ調整値変換部６０７が、Ｓ１４０４の処理（表示情報を用いた処理）の結果に基づいて、エミュレート表示を実現する処理パラメータを決定する。
【０１５０】
そして、Ｓ１４０６にて、輝度ブースト設定部１３０１が、Ｓ１４０４で読み出したブースト情報（ブースト領域、及び、ブースト領域の輝度）を、ＢＬ調整部６１０に対して設定する。
【０１５１】
次に、Ｓ１４０７にて、モニタ調整値変換部６０７が、Ｓ１４０５で決定した処理パラメータを画像処理部６０２（画像調整部６０６）に対して設定する。
【０１５２】
そして、Ｓ１４０８にて、画像処理部６０２、ＢＬ調整部６１０、及び、ＢＬ駆動部６１２により、Ｓ１４０５で決定された処理パラメータと、Ｓ１４０４で読み出されたブースト情報とを用いた表示制御が行われる。その結果、Ｓ１４０１で選択された表示モードに対応するエミュレート表示が、Ｓ１４０２で選択されたブースト領域において実現される。なお、Ｓ１４０８では、表示輝度の制御のための他の情報（ブースト領域のトーンマップ情報など）がさらに使用されてもよい。
【０１５３】
次に、Ｓ１４０９にて、編集ディスプレイ装置１０２（例えば、編集ディスプレイ装置１０２が有する不図示の制御部）が、編集ディスプレイ装置１０２に対するブースト領域追加操作が行われたか否かを判断する。ブースト領域追加操作は、エミュレート表示を実現する画像領域（ブースト領域）を追加するためのユーザ操作である。ブースト領域追加操作が行われた場合には、Ｓ１４１０へ処理が進められ、ブースト領域追加操作が行われなかった場合には、本処理フローが終了される。
【０１５４】
Ｓ１４１０にて、輝度ブースト設定部１３０１が、ブースト領域追加操作に応じて、ブ
ースト領域を追加で選択する。そして、Ｓ１４０３へ処理が戻される。その結果、Ｓ１４１０で選択されたブースト領域におけるエミュレート表示が追加で行われる。即ち、Ｓ１４０２で選択されたブースト領域と、Ｓ１４１０で選択されたブースト領域とにおいて、エミュレート表示が並列に行われる。
【０１５５】
なお、ブースト領域追加操作の代わりに、ブースト領域切替操作が行われてもよい。ブースト領域切替操作は、エミュレート表示を実現するブースト領域を他のブースト領域へ切り替えるためのユーザ操作である。ブースト領域切替操作が行われた場合には、Ｓ１４０１で選択されたブースト領域におけるエミュレート表示から、表示モード切替操作に応じた切り替え後のブースト領域におけるエミュレート表示へ、編集ディスプレイ装置１０２の表示が更新される。
【０１５６】
以上述べたように、本実施例によれば、ブースト表示を考慮して、実施例１と同様の処理が行われる。それにより、簡易な方法で、過去のブースト表示を模したエミュレート表示を容易に実現することができる。
【０１５７】
＜実施例４＞
本発明の実施例４について説明する。実施例１〜３では、２つの表示装置（オンセットディスプレイ装置と編集ディスプレイ装置）が使用される例を説明した。本実施例では、１つの表示装置が使用される例を説明する。また、本実施例では、実施例１〜３とは異なる表示モードが使用される例を説明する。具体的には、ＢＬ制御表示を行う表示モードが使用される例を説明する。ＢＬ制御表示は、発光部（バックライトユニット）と、発光部からの光を透過することで画像を表示する表示パネル（液晶パネル）とを有する表示部（ＬＣＤモジュール）を用いた表示制御である。具体的には、ＢＬ制御表示では、発光部の発光輝度を設定された発光輝度に制御して画像が表示される。
【０１５８】
図１５は、本実施例に係る表示装置１５０１の構成例を示すブロック図である。
【０１５９】
画像データ受信部１５０２は、表示装置１５０１の外部から画像データ（入力画像データ）を受信する。本実施例では、入力画像データは動画像データである。また、画像データ受信部１５０２は、設定記憶部１５１２からキャプチャ画像データを受信することもできる。キャプチャ画像データは、入力画像データの１フレームに対応する静止画像データである。画像データ受信部１５０２は、受信した画像データのデータフォーマットを判断し、受信した画像データのデータフォーマットを、表示装置１５０１の内部で処理可能なデータフォーマットへ変換する。そして、画像データ受信部１５０２は、データフォーマットが変換された後の画像データを、画像処理部１５０３へ出力する。
【０１６０】
画像処理部１５０３は、画像調整部１５０４、輝度制御部１５０５、及び、キャプチャ部１５０８を有する。画像データ受信部１５０２から出力された画像データは、画像調整部１５０４に入力される。
【０１６１】
画像調整部１５０４は、画像データ受信部１５０２から出力された画像データに対し、所定の画像処理を施す。所定の画像処理は、例えば、カラーグレーディングのための画像処理である。具体的には、所定の画像処理は、カラーマトリクス変換、ＣＤＬ調整、等を含む。カラーマトリクス変換は、例えば、画像データ受信部１５０２から出力された画像データの各画素値をＹＣｂＣｒ値からＲＧＢ値へ変換する画像処理である。ＣＤＬ調整は、ＡＳＣ  ＣＤＬで定義された種類のパラメータを用いた画像処理である。画像調整部１５０４は、所定の画像処理が施された後の画像データを、キャプチャ部１５０８へ出力する。また、画像調整部１５０４は、所定の画像処理を省略して、画像データ受信部１５０２から出力された画像データをそのままキャプチャ部１５０８へ出力することもできる（
スルー処理）。
【０１６２】
また、画像調整部１５０４は、表示状態制御部１５１０から、キャプチャ再生中か否かに関する通知を受信する。キャプチャ再生は、設定記憶部１５１２からキャプチャ画像データを読み出し、読み出したキャプチャ画像データに基づく静止画像を表示する処理である。そして、画像調整部１５０４は、キャプチャ再生中か否かに応じて、所定の画像処理を行うか否かを判断する。詳細は後述する。
【０１６３】
輝度制御部１５０５は、ＢＬ制御部１５０７を有する。表示状態制御部１５１０からＢＬ制御部１５０７へ表示輝度が通知される。ＢＬ制御部１５０７は、表示状態制御部１５１０から通知された表示輝度に従い、バックライトユニット１５０６の発光輝度に関する制御値を生成する。例えば、ＢＬ制御部１５０７は、表示状態制御部１５１０から通知された表示輝度で白色が表示されるように制御値を生成する。具体的には、表示状態制御部１５１０からＢＬ制御部１５０７へ５００ｃｄ／ｍ２の表示輝度が通知された場合には、ＢＬ制御部１５０７は、白色が５００ｃｄ／ｍ２の表示輝度で表示されるように制御値を生成する。そして、輝度制御部１５０５は、生成した制御値をバックライトユニット１５０６へ出力する。
【０１６４】
バックライトユニット１５０６は、ＢＬ制御部１５０７から出力された制御値に応じた発光輝度で発光する。例えば、バックライトユニット１５０６の発光素子に供給されるパルス信号のパルス幅、パルス信号のパルス振幅、または、それらの両方を変更することにより、バックライトユニット１５０６の発光輝度を変更することができる。バックライトユニット１５０６の発光素子としては、発光ダイオード、有機ＥＬ素子、冷陰極管、プラズマ素子、等を使用することができる。そして、例えば、パルス幅、パルス振幅、または、それらの両方を、制御値として使用することができる。「表示状態制御部１５１０から通知された表示輝度」は、「バックライトユニット１５０６の発光輝度の設定値」とも言える。そして、「制御値をバックライトユニット１５０６へ出力する処理」は、「バックライトユニット１５０６の発光輝度を制御する処理」とも言える。
【０１６５】
キャプチャ部１５０８は、画像調整部１５０４から出力された画像データをそのまま液晶パネル１５０９へ出力する。また、キャプチャ部１５０８は、キャプチャ処理を行うか否かに関する通知を、データ生成部１５１１から受信する。そして、キャプチャ部１５０８は、キャプチャ処理を行うことの通知を受信しなかった場合にはキャプチャ処理を実行せず、キャプチャ処理を行うことの通知を受信した場合にキャプチャ処理を実行する。キャプチャ処理は、入力画像データに基づく動画像の複数のフレームのうち、表示装置１５０１（液晶パネル１５０９）で現在表示されているフレームを、静止画像データであるキャプチャ画像データとして生成する処理である。キャプチャ画像データは、画像調整部１５０４から出力された画像データを用いて生成される。そして、キャプチャ部１５０８は、生成したキャプチャ画像データをデータ生成部１５１１へ出力する。
【０１６６】
液晶パネル１５０９は、バックライトユニット１５０６からの光を透過することにより画像を表示する。本実施例では、キャプチャ部１５０８から液晶パネル１５０９へ出力された画像データに応じて、液晶パネル１５０９の透過率が制御される。
【０１６７】
表示状態制御部１５１０は、表示輝度をＢＬ制御部１５０７へ通知する。例えば、表示状態制御部１５１０は、設定記憶部１５１２から表示輝度を読み出し、読み出した表示輝度をＢＬ制御部１５０７へ通知する。表示状態制御部１５１０は、ユーザによって指定された表示輝度を、ＢＬ制御部１５０７へ通知することもできる。ユーザは、表示装置１５０１に対して、表示輝度の変更を指示することができる。表示輝度の変更が指示された場合には、表示状態制御部１５１０は、変更後の表示輝度をＢＬ制御部１５０７へ通知する
。
【０１６８】
また、表示状態制御部１５１０は、キャプチャ再生中か否かに関する通知を画像調整部１５０４へ出力する。例えば、表示状態制御部１５１０は、表示装置１５０１に対するキャプチャ再生開始操作（キャプチャ再生の開始を指示するユーザ操作）に応じて、キャプチャ再生の開始を画像調整部１５０４へ通知する。そして、表示状態制御部１５１０は、表示装置１５０１に対するキャプチャ再生終了操作（キャプチャ再生の終了を指示するユーザ操作）に応じて、キャプチャ再生の終了を画像調整部１５０４へ通知する。その場合には、画像調整部１５０４は、キャプチャ再生開始操作からキャプチャ再生終了操作までの期間をキャプチャ再生中の期間として判断し、他の期間をキャプチャ再生中でない期間として判断する。
【０１６９】
データ生成部１５１１は、キャプチャ処理を行うか否かに関する通知をキャプチャ部１５０８へ出力する。例えば、データ生成部１５１１は、表示装置１５０１に対するキャプチャ実行操作（キャプチャ処理の実行を指示するユーザ操作）に応じて、キャプチャ処理を行うことの通知をキャプチャ部１５０８へ出力する。
【０１７０】
また、データ生成部１５１１は、キャプチャ部１５０８から出力されたキャプチャ画像データを取得する。データ生成部１５１１は、キャプチャ画像データを取得すると、現在設定されている表示輝度の情報を設定記憶部１５１２から取得する。そして、データ生成部１５１１は、取得したキャプチャ画像データと、取得した表示輝度（表示輝度の情報）とを互い関連付けて、設定記憶部１５１２に記録する。なお、表示モードがＢＬ制御表示に対応することは、表示輝度の情報から判断できる。そのため、「表示輝度の情報」は「表示モードを示す表示情報」とも言える。もちろん、「表示輝度の情報」は、「表示輝度を示すパラメータの情報」、「ＢＬ制御表示で使用される表示パラメータの情報」、等とも言える。
【０１７１】
設定記憶部１５１２は、不揮発メモリなどの記憶部である。設定記憶部１５１２は、現在設定されている表示輝度の情報（設定情報）を表示状態制御部１５１０から取得し、取得した設定情報を記憶する。また、設定記憶部１５１２は、データ生成部１５１１から出力された情報（互いに関連付けられたキャプチャ画像データと表示輝度を含む情報；キャプチャデータ）を取得し、取得したキャプチャデータを記憶する。キャプチャデータは、設定情報とは別に記憶される。なお、設定記憶部１５１２は、表示装置１５０１とは別体の装置（例えば、ＵＳＢメモリなどの記憶装置）であってもよい。
【０１７２】
キャプチャ処理時における各機能部の処理について説明する。ここでは、表示装置１５０１により、入力画像データに基づく動画像が表示されているものとする。また、画像調整部１５０４において所定の画像処理が実行されているものとする。
【０１７３】
データ生成部１５１１は、キャプチャ処理を行うことの通知（キャプチャ実行通知）をキャプチャ部１５０８へ出力する。キャプチャ部１５０８は、画像調整部１５０４から出力された画像データに基づいて、キャプチャ実行通知を受けたタイミングで表示されていたフレームのキャプチャ画像データを生成する。そして、キャプチャ部１５０８は、生成したキャプチャ画像データをデータ生成部１５１１へ出力する。なお、キャプチャ画像データのデータフォーマットは特に限定されない。キャプチャ画像データとして、例えば、ＢＭＰ画像データ、ＪＰＥＧ画像データ、ＰＮＧ画像データ、等が生成される。
【０１７４】
データ生成部１５１１は、キャプチャ部１５０８からキャプチャ画像データを取得すると、現在設定されている表示輝度の情報を設定記憶部１５１２から取得する。そして、データ生成部１５１１は、取得したキャプチャ画像データと、取得した表示輝度（表示輝度
の情報）とを互い関連付けて、設定記憶部１５１２に記録する。例えば、キャプチャ画像データがＪＰＥＧ画像データである場合には、キャプチャ画像データに含まれているＥｘｉｆ（Ｅｘｃｈａｎｇｅ  ｉｍａｇｅ  ｆｉｌｅ  ｆｏｒｍａｔ）のメーカノートに、メタデータとして表示輝度の情報が記述される。具体的には、設定された表示輝度が５００ｃｄ／ｍ２である場合には、メタデータとして「５００」が記述される。それにより、互いに関連付けられたキャプチャ画像データと表示輝度を含むキャプチャデータが生成される。
【０１７５】
なお、表示輝度の情報が、バックライトユニット１５０６の発光輝度の設定値、表示輝度の設定値、等を示す情報であれば、表示輝度の情報の表現方法は特に限定されない。キャプチャデータの生成方法も特に限定されない。例えば、キャプチャ画像データとは別のデータとして、キャプチャ画像データの保存パスと、表示輝度の情報とが記述されたデータが生成されてもよい。その場合には、キャプチャ画像データと、上記別のデータとの組み合わせが、キャプチャデータとして使用される。
【０１７６】
キャプチャ再生時における各機能部の処理について説明する。
【０１７７】
表示状態制御部１５１０は、再生対象のキャプチャ画像データに関連付けられた表示輝度を、設定記憶部１５１２から読み出す。そして、表示状態制御部１５１０は、読み出した表示輝度を、ＢＬ制御部１５０７へ通知する。キャプチャデータが、表示輝度の情報をメタデータとして含むキャプチャ画像データである場合には、表示状態制御部１５１０は、再生対象のキャプチャデータを設定記憶部１５１２から読み出す。そして、表示状態制御部１５１０は、読み出したキャプチャデータを解析することにより、読み出したキャプチャデータに含まれている表示輝度情報（表示輝度の情報）を取得する。その後、表示状態制御部１５１０は、取得した表示輝度情報を、ＢＬ制御部１５０７へ通知する。
【０１７８】
また、表示状態制御部１５１０は、再生対象のキャプチャ画像データを画像データ受信部１５０２へ出力するための指示を、設定記憶部１５１２に対して行う。設定記憶部１５１２は、表示状態制御部１５１０からの上記指示に応じて、再生対象のキャプチャ画像データを画像データ受信部１５０２へ出力する。さらに、表示状態制御部１５１０は、画像調整部１５０４に対し、キャプチャ再生中であることを通知する。
【０１７９】
画像データ受信部１５０２は、再生対象のキャプチャ画像データを設定記憶部１５１２から取得すると、取得したキャプチャ画像データのデータフォーマットを、表示装置１５０１の内部で処理可能なデータフォーマットへ変換する。そして、画像データ受信部１５０２は、データフォーマットが変換された後の画像データを、画像処理部１５０３へ出力する。
【０１８０】
画像調整部１５０４は、キャプチャ再生中であることの通知を表示状態制御部１５１０から取得し、キャプチャ再生中であることを当該通知に応じて判断する。キャプチャ再生中において、画像調整部１５０４は、スルー処理を行う。即ち、画像調整部１５０４は、所定の画像処理を省略して、画像データ受信部１５０２から出力された画像データと同じ画像データをキャプチャ部１５０８へ出力する。
【０１８１】
スルー処理を行う理由を説明する。本実施例では、所定の画像処理が施された後の画像データに基づいてキャプチャ画像データが生成される。そのため、設定記憶部１５１２に記録されたキャプチャ画像データには所定の画像処理が既に反映されている。そして、キャプチャ再生中に画像調整部１５０４が所定の画像処理を行うと、所定の画像処理が２度施された後の画像データが、画像調整部１５０４から出力されてしまう。これは好ましくないため、キャプチャ再生中にはスルー処理を行う。なお、設定された表示輝度に関する
情報は、所定の画像処理には使用されない。そのため、設定された表示輝度は、設定記憶部１５１２に記録されたキャプチャ画像データには反映されていない。
【０１８２】
ＢＬ制御部１５０７は、表示状態制御部１５１０から通知された表示輝度（再生対象のキャプチャ画像データに関連付けられた表示輝度）に従って、バックライトユニット１５０６の発光輝度を制御する。それにより、キャプチャ処理時と同様の表示モードで、キャプチャ画像データに基づく画像が表示される。
【０１８３】
なお、キャプチャ再生時において、再生対象のキャプチャ画像データに関連付けられた表示輝度に従ってバックライトユニット１５０６の発光輝度を制御するか否かなどをユーザに問い合わせてもよい。例えば、「キャプチャ処理時とキャプチャ再生時とで表示輝度の設定が異なっています。キャプチャ処理時の表示輝度へ設定を変更しますか？」などのメッセージを表示し、メッセージに応じてユーザが行った指示に応じて、処理が切り替えられて実行されてもよい。具体的には、キャプチャ処理時の表示輝度へ設定を変更する指示が行われた場合に、再生対象のキャプチャ画像データに関連付けられた表示輝度に従って、バックライトユニット１５０６の発光輝度が制御される。そして、キャプチャ処理時の表示輝度へ設定を変更しない指示が行われた場合に、現在設定されている表示輝度に従って、バックライトユニット１５０６の発光輝度が制御される。「現在設定されている表示輝度」は「再生対象のキャプチャ画像データに関連付けられた表示輝度へ変更される前の表示輝度」である。
【０１８４】
本実施例によれば、キャプチャ画像データと表示輝度とを互いに関連付けて記憶部に記録し、キャプチャ画像データの再生時に、記録された表示輝度を使用する、という簡易な方法で、過去の表示モードでの表示に類似した表示を容易に実現することができる。具体的には、キャプチャ画像データの再生時に、キャプチャ画像データの生成時と同じ輝度にバックライトユニットの発光輝度を制御するＢＬ制御表示を容易に行うことができる。
【０１８５】
＜実施例５＞
本発明の実施例５について説明する。なお、以下では、実施例４と同様の点（構成と処理）についての説明は省略し、実施例４と異なる点について詳しく説明する。本実施例では、実施例１〜４とは異なる表示モードが使用される例を説明する。具体的には、階調特性制御表示を行う表示モードが使用される例を説明する。階調特性制御表示で、設定された階調特性（階調値と輝度の対応関係）で画像が表示される。なお、以下では、ＢＬ制御表示と階調特性制御表示とが併用される例を説明するが、ＢＬ制御表示は行われなくてもよい。
【０１８６】
図１６は、本実施例に係る表示装置１５０１の構成例を示すブロック図である。本実施例に係る表示装置１５０１の輝度制御部１５０５は、ガンマ制御部１６０１をさらに有する。図１６において、実施例４（図１５）と同じ機能部には、実施例４と同じ符号が付されている。
【０１８７】
本実施例の画像調整部１５０４は、実施例４と同様の処理を行う。但し、本実施例の画像調整部１５０４は、画像データをガンマ制御部１６０１へ出力する。
【０１８８】
本実施例の表示状態制御部１５１０は、実施例４と同様の処理を行う。但し、本実施例の表示状態制御部１５１０は、以下の処理をさらに行う。
【０１８９】
表示状態制御部１５１０は、階調特性をガンマ制御部１６０１へ通知する。例えば、表示状態制御部１５１０は、設定記憶部１５１２から階調特性を読み出し、読み出した階調特性をガンマ制御部１６０１へ通知する。表示状態制御部１５１０は、ユーザによって指
定された階調特性を、ガンマ制御部１６０１へ通知することもできる。ユーザは、表示装置１５０１に対して、階調特性の変更を指示することができる。階調特性の変更が指示された場合には、表示状態制御部１５１０は、変更後の階調特性をガンマ制御部１６０１へ通知する。
【０１９０】
階調特性の表現方法は特に限定されないが、本実施例では、階調特性が、ガンマカーブ、表示レンジ、及び、分岐点によって表される。そして、表示状態制御部１５１０は、階調特性の情報として、ガンマカーブの情報、表示レンジの情報、分岐点の情報、等を取得し通知する。ユーザは、表示装置１５０１に対して、ガンマカーブの変更、表示レンジの変更、及び、分岐点の変更を、個別に指示することができる。ガンマカーブ、表示レンジ、及び、分岐点の詳細については後述する。
【０１９１】
ガンマ制御部１６０１は、表示状態制御部１５１０から通知された階調特性（ガンマカーブ、表示レンジ、及び、分岐点）に従い、画像調整部１５０４から出力された画像データを補正する。具体的には、ガンマ制御部１６０１は、表示状態制御部１５１０から通知された階調特性（ガンマカーブ、表示レンジ、及び、分岐点によって表された階調特性）へ、画像調整部１５０４から出力された画像データの階調特性を変換する。そして、ガンマ制御部１６０１は、階調特性が変換された後の画像データを、キャプチャ部１５０８へ出力する。
【０１９２】
本実施例のデータ生成部１５１１は、実施例４と同様の処理を行う。但し、本実施例のデータ生成部１５１１では、キャプチャ部１５０８から出力されたキャプチャ画像データの取得に応じて、以下の処理が行われる。データ生成部１５１１は、キャプチャ画像データを取得すると、実施例４と同様に、現在設定されている表示輝度の情報を設定記憶部１５１２から取得する。さらに、データ生成部１５１１は、現在設定されている階調特性の情報（表示レンジと分岐点の情報）を設定記憶部１５１２から取得する。そして、データ生成部１５１１は、取得したキャプチャ画像データ、取得した表示輝度（表示輝度の情報）、及び、取得した階調特性（階調特性の情報）を互い関連付けて、設定記憶部１５１２に記録する。なお、表示モードが階調特性制御表示に対応することは、階調特性の情報から判断できる。そのため、「階調特性の情報」は「表示モードを示す表示情報」とも言える。もちろん、「階調特性の情報」は、「階調特性を示すパラメータの情報」、「階調特性制御表示で使用される表示パラメータの情報」、等とも言える。なお、関連付けられる階調特性の情報は、ガンマカーブの情報を含んでもよい。
【０１９３】
本実施例の設定記憶部１５１２は、実施例４と同様の処理を行う。但し、本実施例の設定記憶部１５１２は、現在設定されている表示輝度の情報と、現在設定されている階調特性の情報（表示レンジと分岐点の情報）とを、設定情報として表示状態制御部１５１０から取得する。また、本実施例のキャプチャデータは、互いに関連付けられたキャプチャ画像データ、表示輝度、及び、階調特性を含む情報である。
【０１９４】
ガンマカーブ、表示レンジ、及び、分岐点について説明する。ガンマカーブは、例えば、ガンマ値が２．２のガンマカーブ、対数特性を有するＬｏｇカーブ、ＳＭＰＴＥ  ＳＴ−２０８４のカーブ、等である。表示レンジは、入力画像データの輝度レンジの一部または全部であり、表示対象の輝度レンジである。表示レンジは、例えば、設定されたガンマカーブに基づいて設定される。具体的には、Ｌｏｇカーブが設定された場合には、０〜１０００％の輝度レンジの一部または全部が、表示レンジとして設定される。実現される表示輝度（実輝度）は、設定された表示レンジと、設定された表示輝度とに基づいて決まる。
【０１９５】
図１７は、実輝度と表示レンジの輝度との対応関係の一例を示す。図１７は、設定され
た表示輝度が５００ｃｄ／ｍ２であり、０〜１０００％の輝度レンジが入力画像データの輝度レンジであり、設定された表示レンジが０〜２００％の輝度レンジである場合の例を示す。図１７の例では、入力画像データの輝度の０％から２００％への増加に対して、実輝度が０ｃｄ／ｍ２から５００ｃｄ／ｍ２へ線形に増加する。そして、図１７の例では、２００％よりも高い輝度（入力画像データの輝度）に対応する実輝度として、５００ｃｄ／ｍ２が得られる。このように、図１７の対応関係によれば、０〜２００％の輝度レンジ（表示レンジ）をクリップレンジとするクリップ表示が行われる。
【０１９６】
図１８は、実輝度と表示レンジの輝度との対応関係の他の例を示す。図１８は、設定された表示輝度が５００ｃｄ／ｍ２であり、０〜１０００％の輝度レンジが入力画像データの輝度レンジであり、設定された表示レンジが０〜２００％の輝度レンジである場合の例を示す。そのため、図１８の対応関係によれば、０〜２００％の輝度レンジをクリップレンジとするクリップ表示が行われる。
【０１９７】
しかしながら、図１８の例では、分岐点が設定されている。分岐点は、実輝度と表示レンジの輝度との対応関係を規定する。分岐点は、実輝度と表示レンジの輝度との組み合わせを示す。この場合、設定された分岐点が含まれるように、実輝度と表示レンジの輝度との対応関係が決定される。例えば、表示レンジの最小輝度の点（表示レンジの最小輝度と実輝度の組み合わせ）と、分岐点とを用いた線形補間により、最小輝度の点から分岐点までの対応関係が決定される。そして、表示レンジの最大輝度の点（表示レンジの最大輝度と実輝度（設定された表示輝度）の組み合わせ）と、分岐点とを用いた線形補間により、分岐点から最大輝度の点までの対応関係が決定される。
【０１９８】
図１８の例では、１００ｃｄ／ｍ２の実輝度と１００％の輝度（表示レンジの輝度）との組み合わせが、分岐点として設定されている。図１８の例では、入力画像データの輝度の０％から１００％への増加に対して、実輝度が０ｃｄ／ｍ２から１００ｃｄ／ｍ２へ線形に増加する。図１８の例では、入力画像データの輝度の１００％から２００％への増加に対して、実輝度が１００ｃｄ／ｍ２から５００ｃｄ／ｍ２へ線形に増加する。そして、図１８の例では、２００％よりも高い輝度（入力画像データの輝度）に対応する実輝度として、５００ｃｄ／ｍ２が得られる。
【０１９９】
図１９は、ガンマカーブ、表示レンジ、及び、分岐点の組み合わせの一例を示す。
【０２００】
なお、実輝度と表示レンジの輝度との対応関係は、図１７，１８に示す対応関係に限られない。例えば、入力画像データの輝度の変化に対して、実輝度が非線形に変化してもよい。ガンマカーブ、表示レンジ、及び、分岐点の組み合わせは、図１９の組み合わせに限られない。複数の分岐点が設定されてもよい。また、ＳＤＲ画像データの輝度レンジが０〜１００％である場合には、０〜１００％の輝度レンジを表示レンジとして設定することにより、ＳＤＲ表示装置の表示を模した表示を実現することができる。
【０２０１】
キャプチャ処理時における各機能部の処理について説明する。
【０２０２】
データ生成部１５１１は、キャプチャ部１５０８からキャプチャ画像データを取得すると、現在設定されている表示輝度の情報と、現在設定されている階調特性の情報（表示レンジと分岐点の情報）とを、設定記憶部１５１２から取得する。例えば、図１８の対応関係を実現する場合には、表示輝度の情報として、「５００ｃｄ／ｍ２」の情報が取得される。そして、表示レンジの情報として「２００％」の情報が取得され、分岐点の情報として「（表示レンジの輝度，実輝度）＝（１００％，１００ｃｄ／ｍ２）」の情報が取得される。その後、データ生成部１５１１は、取得したキャプチャ画像データ、取得した表示輝度（表示輝度の情報）、及び、取得した階調特性（階調特性の情報）を互い関連付けて
、設定記憶部１５１２に記録する。例えば、キャプチャ画像データがＪＰＥＧ画像データである場合には、キャプチャ画像データに含まれているＥｘｉｆのメーカノートに、メタデータとして表示輝度の情報と階調特性の情報とが記述される。具体的には、図１８の対応関係を実現する場合には、「ｊｕｎｃ＝１００（分岐点の輝度（表示レンジの輝度）），１００（分岐点の実輝度），ｒａｎｇｅ＝２００（表示レンジの最大輝度），５００（表示輝度）」がメタデータとして記述される。それにより、互いに関連付けられたキャプチャ画像データ、表示輝度、及び、階調特性を含むキャプチャデータが生成される。その他の処理は、実施例４と略同一である。ガンマ制御部１６０１などでは、上述した処理が行われる。
【０２０３】
キャプチャ再生時における各機能部の処理について説明する。
【０２０４】
表示状態制御部１５１０は、再生対象のキャプチャ画像データに関連付けられた表示輝度と階調特性（表示レンジと分岐点）を、設定記憶部１５１２から読み出す。そして、表示状態制御部１５１０は、読み出した表示輝度をＢＬ制御部１５０７へ通知し、読み出した階調特性をガンマ制御部１６０１へ通知する。ここで、ガンマカーブは既に通知されているものとする。その他の処理は、実施例４と略同一である。ガンマ制御部１６０１などでは、上述した処理が行われる。
【０２０５】
本実施例によれば、キャプチャ画像データ、表示輝度、及び、階調特性を互いに関連付けて記憶部に記録し、キャプチャ画像データの再生時に、記録された表示輝度と、記録された階調特性を使用する、という簡易な方法で画像が表示される。それにより、過去の表示モードでの表示に類似した表示を容易に実現することができる。具体的には、キャプチャ画像データの再生時に、キャプチャ画像データの生成時と同じ輝度にバックライトユニットの発光輝度を制御するＢＬ制御表示を容易に行うことができる。さらに、キャプチャ画像データの再生時に、キャプチャ画像データの生成時と同じ階調特性で画像を表示する階調特性制御表示を容易に行うことができる。
【０２０６】
＜実施例６＞
本発明の実施例６について説明する。なお、以下では、実施例４と同様の点（構成と処理）についての説明は省略し、実施例４と異なる点について詳しく説明する。本実施例では、実施例１〜５とは異なる表示モードが使用される例を説明する。具体的には、ＬＤ（Ｌｏｃａｌ  Ｄｉｍｍｉｎｇ）制御表示を行う表示モードが使用される例を説明する。ＬＤ制御表示は、画面の複数の領域（部分領域）にそれぞれ対応する複数の発光部と、複数の発光部からの光を透過することで画像を表示する表示パネルとを有する表示部を用いた表示制御である。具体的には、ＬＤ制御表示では、各発光部の発光輝度が個別に制御されて画像が表示される。複数の部分領域として、例えば、画面の領域を構成する複数の分割領域が使用される。
【０２０７】
図２０は、本実施例に係る表示装置１５０１の構成例を示すブロック図である。本実施例に係る表示装置１５０１の輝度制御部１５０５は、ＬＤ制御部２００１をさらに有する。図２０において、実施例４（図１５）と同じ機能部には、実施例４と同じ符号が付されている。
【０２０８】
本実施例の画像調整部１５０４は、実施例４と同様の処理を行う。但し、本実施例の画像調整部１５０４は、画像データをＬＤ制御部２００１へ出力する。
【０２０９】
本実施例の表示状態制御部１５１０は、実施例４と同様の処理を行う。但し、本実施例の表示状態制御部１５１０は、以下の処理をさらに行う。
【０２１０】
表示状態制御部１５１０は、ＬＤ制御値をＬＤ制御部２００１へ通知する。例えば、表示状態制御部１５１０は、設定記憶部１５１２からＬＤ制御値を読み出し、読み出したＬＤ制御値をＬＤ制御部２００１へ通知する。表示状態制御部１５１０は、ユーザによって指定されたＬＤ制御値を、ＬＤ制御部２００１へ通知することもできる。ユーザは、表示装置１５０１に対して、ＬＤ制御値の変更を指示することができる。ＬＤ制御値の変更が指示された場合には、表示状態制御部１５１０は、変更後のＬＤ制御値をＬＤ制御部２００１へ通知する。また、表示状態制御部１５１０は、表示輝度を、ＢＬ制御部１５０７だけでなく、ＬＤ制御部２００１へも通知する。
【０２１１】
ＬＤ制御値は、ＬＤ制御（各発光部の発光輝度の個別制御）の方法を示すパラメータである。例えば、ＬＤ制御値として、「強」、「弱」、「オフ」、等の複数のパラメータのいずれかが選択的に使用される。ＬＤ制御を行うことにより、表示画像のコントラスト比を向上することができる。ＬＤ制御値「強」は、コントラスト比を大幅に高めるためのパラメータである。例えば、ＬＤ制御値「強」が使用された場合には、発光部の発光輝度の上限値と下限値の差が大きい基準でＬＤ制御が行われる。ＬＤ制御値「弱」は、コントラスト比をわずかに高めるためのパラメータである。例えば、ＬＤ制御値「弱」が使用された場合には、発光部の発光輝度の上限値と下限値の差が小さい基準でＬＤ制御が行われる。ＬＤ制御値「オフ」は、ＬＤ制御を行わないためのパラメータである。例えば、ＬＤ制御値「オフ」が使用された場合には、ＬＤ制御は行われずに、実施例４のＢＬ制御表示が行われる。なお、ＬＤ制御値「オフ」が使用された場合に、各発光部の発光輝度が予め定められた基準輝度へ制御されてもよい。
【０２１２】
ＬＤ制御部２００１は、画像調整部１５０４から出力された画像データ、表示状態制御部１５１０から通知された表示輝度、及び、表示状態制御部１５１０から通知されたＬＤ制御値に基づいて、各発光部の発光輝度を決定する。例えば、ＬＤ制御値「オフ」が通知された場合には、ＬＤ制御部２００１は、通知された表示輝度に応じた１つの発光輝度を、各発光部の発光輝度として決定する。ＬＤ制御値「強」または「弱」が通知された場合には、ＬＤ制御部２００１は、各発光部の発光輝度を個別に決定する。本実施例では、画像調整部１５０４から出力された画像データ、表示状態制御部１５１０から通知された表示輝度、及び、表示状態制御部１５１０から通知されたＬＤ制御値に基づいて、以下の条件を満たすように、各発光部の発光輝度が個別に決定される。
条件１：明るい画像が表示される部分領域に対応する発光部の発光輝度として、暗い画像が表示される部分領域に対応する発光部の発光輝度よりも高い発光輝度が使用される。
条件２：通知された表示輝度に応じた発光輝度が、発光輝度の上限値として使用される。
条件３：通知されたＬＤ制御値に応じた発光輝度が、発光輝度の下限値として使用される。
【０２１３】
そして、ＬＤ制御部２００１は、決定した発光輝度（各発光部の発光輝度）を、ＢＬ制御部１５０７へ通知する。また、ＬＤ制御部２００１は、画像調整部１５０４からの画像データを、キャプチャ部１５０８へ出力する。なお、各発光部の発光輝度の決定方法は特に限定されない。ＬＤ制御部２００１は、画像調整部１５０４からの画像データを、各発光部の発光輝度に基づいて補正し、補正後の画像データをキャプチャ部１５０８へ出力してもよい。
【０２１４】
本実施例のＢＬ制御部１５０７は、実施例４と同様の処理を行う。但し、本実施例のＢＬ制御部１５０７は、各発光部の制御値を生成する。具体的には、ＢＬ制御部１５０７は、複数の発光部のそれぞれについて、ＬＤ制御部２００１から通知された発光輝度に従い、制御値を生成する。そして、ＢＬ制御部１５０７は、各発光部の制御値をバックライトユニット１５０６へ出力する。なお、通知された表示輝度をさらに考慮して、制御値が生
成されてもよい。
【０２１５】
本実施例のバックライトユニット１５０６は、実施例４と同様の処理を行う。但し、本実施例のバックライトユニット１５０６は、上述した複数の発光部（複数の部分領域にそれぞれ対応する複数の発光部）を有する。各発光部は、ＢＬ制御部１５０７から出力された制御値に応じた発光輝度で発光する。
【０２１６】
本実施例のデータ生成部１５１１は、実施例４と同様の処理を行う。但し、本実施例のデータ生成部１５１１では、キャプチャ部１５０８から出力されたキャプチャ画像データの取得に応じて、以下の処理が行われる。データ生成部１５１１は、キャプチャ画像データを取得すると、実施例４と同様に、現在設定されている表示輝度の情報を設定記憶部１５１２から取得する。さらに、データ生成部１５１１は、現在設定されているＬＤ制御値を設定記憶部１５１２から取得する。そして、データ生成部１５１１は、取得したキャプチャ画像データ、取得した表示輝度、及び、取得したＬＤ制御値を互い関連付けて、設定記憶部１５１２に記録する。なお、表示モードがＬＤ制御表示に対応することは、ＬＤ制御値から判断できる。そのため、「ＬＤ制御値」は「表示モードを示す表示情報」とも言える。もちろん、「ＬＤ制御値」は、「ＬＤ制御表示で使用される表示パラメータの情報」などとも言える。
【０２１７】
本実施例の設定記憶部１５１２は、実施例４と同様の処理を行う。但し、本実施例の設定記憶部１５１２は、現在設定されている表示輝度の情報と、現在設定されているＬＤ制御値とを、設定情報として表示状態制御部１５１０から取得する。また、本実施例のキャプチャデータは、互いに関連付けられたキャプチャ画像データ、表示輝度、及び、ＬＤ制御値を含む情報である。
【０２１８】
キャプチャ処理時における各機能部の処理について説明する。
【０２１９】
データ生成部１５１１は、キャプチャ部１５０８からキャプチャ画像データを取得すると、現在設定されている表示輝度の情報と、現在設定されているＬＤ制御値とを、設定記憶部１５１２から取得する。そして、データ生成部１５１１は、取得したキャプチャ画像データ、取得した表示輝度（表示輝度の情報）、及び、取得したＬＤ制御値を互い関連付けて、設定記憶部１５１２に記録する。例えば、キャプチャ画像データがＪＰＥＧ画像データである場合には、キャプチャ画像データに含まれているＥｘｉｆのメーカノートに、メタデータとして表示輝度の情報とＬＤ制御値とが記述される。具体的には、「５００（表示輝度），Ｈｉｇｈ（ＬＤ制御値）」がメタデータとして記述される。それにより、互いに関連付けられたキャプチャ画像データ、表示輝度、及び、ＬＤ制御値を含むキャプチャデータが生成される。その他の処理は、実施例４と略同一である。ＬＤ制御部２００１などでは、上述した処理が行われる。
【０２２０】
キャプチャ再生時における各機能部の処理について説明する。
【０２２１】
表示状態制御部１５１０は、再生対象のキャプチャ画像データに関連付けられた表示輝度とＬＤ制御値を、設定記憶部１５１２から読み出す。そして、表示状態制御部１５１０は、読み出した表示輝度をＢＬ制御部１５０７とＬＤ制御部２００１へ通知し、読み出したＬＤ制御値をＬＤ制御部２００１へ通知する。その他の処理は、実施例４と略同一である。ＬＤ制御部２００１などでは、上述した処理が行われる。
【０２２２】
本実施例によれば、キャプチャ画像データ、表示輝度、及び、ＬＤ制御値を互いに関連付けて記憶部に記録し、キャプチャ画像データの再生時に、記録された表示輝度と、記録された階調特性を使用する、という簡易な方法で画像が表示される。それにより、過去の
表示モードでの表示に類似した表示を容易に実現することができる。具体的には、キャプチャ画像データの再生時に、キャプチャ画像データの生成時と同じ輝度に各発光部の発光輝度を制御するＬＤ制御表示を容易に行うことができる。
【０２２３】
なお、実施例１〜６では、装置（表示制御装置）が、表示部を有する表示装置である例を説明したが、表示部として別体の装置が使用されてもよい。また、実施例１〜６では、表示部が、液晶パネルとバックライトユニットを有するＬＣＤモジュールである例を説明したが、表示部はＬＣＤモジュールに限られない。発光部と、発光部からの光を透過することで画像を表示する表示パネルと、を有する他の表示部が使用されてもよい。例えば、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置が使用されてもよい。自発光型の表示部が使用されてもよい。有機ＥＬ（Ｅｌｅｃｔｒｏ−Ｌｕｍｉｎｅｓｃｅｎｃｅ）表示パネル、プラズマ表示パネル、等が使用されてもよい。また、各装置の入力画像データは撮影画像データに限られない。入力画像データとして、コンピュータグラフィック画像データ、イラスト画像データ、等が使用されてもよい。
【０２２４】
なお、実施例１〜６の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０２２５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０２２６】
１０１：オンセットディスプレイ装置  １０２：編集ディスプレイ装置
２０２，６０２，１５０３：画像処理部  ２０９，６１２：ＢＬ駆動部
２１０，６１３：表示モード設定部  １５０１：表示装置
１５１０：表示状態制御部  １５１１：データ生成部
【図１】
2018005069.tif 000003
【図２】
2018005069.tif 000004
【図３】
2018005069.tif 000005
【図４】
2018005069.tif 000006
【図５】
2018005069.tif 000007
【図６】
2018005069.tif 000008
【図７】
2018005069.tif 000009
【図８】
2018005069.tif 000010
【図９】
2018005069.tif 000011
【図１０】
2018005069.tif 000012
【図１１】
2018005069.tif 000013
【図１２】
2018005069.tif 000014
【図１３】
2018005069.tif 000015
【図１４】
2018005069.tif 000016
【図１５】
2018005069.tif 000017
【図１６】
2018005069.tif 000018
【図１７】
2018005069.tif 000019
【図１８】
2018005069.tif 000020
【図１９】
2018005069.tif 000021
【図２０】
2018005069.tif 000022
【図２１】
2018005069.tif 000023
【図２２】
2018005069.tif 000024
【図２３】
2018005069.tif 000025